(57)【特許請求の範囲】
【請求項１】
無線通信システムで任意のマクロカバレッジに含まれる端末のサービングサブセルが、サブセルの高速なスイッチングをサポートする方法において、
前記サービングサブセルが端末から前記サービングサブセルと隣接サブセルを含む複数個のサブセルに対する複数個のフィードバック情報を受信する受信段階と、
前記サービングサブセルが前記受信したフィードバック情報のそれぞれからチャンネル品質インジケーターを抽出する抽出段階と、
前記サービングサブセルが前記抽出されたチャンネル品質インジケーターの値を比較する段階と、
前記サービングサブセルが前記比較した結果に基づいて、前記端末の前記サブセルの高速なスイッチングを実行するか否かを決定する決定段階と、を含み、
前記サービングサブセルは、前記マクロカバレッジに含まれた他のサブセルと同様の物理セル識別子を用い、
前記決定段階は、
前記抽出された複数個のチャンネル品質インジケーターのうち、最大の大きさを有するチャンネル品質インジケーターが前記端末に対するサービングサブセルに対するチャンネル品質インジケーターであるか判定する段階と、
前記判定した結果、最大の大きさを有するチャンネル品質インジケーターが前記端末に対するサービングサブセルに対するチャンネル品質インジケーターである場合、前記サービングサブセルを変更しない段階と、をさらに含むことを特徴とする、サブセルの高速なスイッチングのサポート方法。
【請求項２】
前記決定段階は、
前記判定した結果、最大の大きさを有するチャンネル品質インジケーターが前記端末に対するサービングサブセルに対するチャンネル品質インジケーターではない場合、前記最大の大きさを有するチャンネル品質インジケーターを有するサブセルに前記端末の前記サブセルをスイッチングする段階をさらに含むことを特徴とする、請求項１に記載のサブセルの高速なスイッチングのサポート方法。
【請求項３】
復調基準信号シーケンスを生成する段階と、
前記生成された復調基準信号シーケンスにサブセル別に互いに異なるスクランブリングＩＤ（Ｉｄｅｎｔｉｔｙ）を適用する段階と、
前記スクランブリングＩＤが適用された復調基準信号を定められたリソースにマッピングする段階と、
前記マッピングされた復調基準信号を前記端末に送信する段階と、をさらに含み、
前記サブセルは、前記マクロカバレッジに含まれた他のサブセルと同様の物理セル識別子を用いることを特徴とする、請求項１に記載のサブセルの高速なスイッチングのサポート方法。
【請求項４】
チャンネル状態情報基準信号送信のための第１タイミングであるか判定する段階と、
前記第１タイミングの場合、設定されたリソース位置に前記チャンネル状態情報基準信号を送信する段階と、
チャンネル状態情報基準信号送信のための第２タイミングであるか判定する段階と、
前記第２タイミングの場合、前記サービングサブセルに隣接した隣接サブセルがチャンネル状態情報基準信号を送信するリソース位置に対応するリソース位置にランダムノイズまたはミューティングされたチャンネル状態情報基準信号を適用する段階と、をさらに含むことを特徴とする、請求項３に記載のサブセルの高速なスイッチングのサポート方法。
【請求項５】
前記複数個のサブセルのそれぞれに特定の仮想セル識別子（Ｖｉｒｔｕａｌ  Ｃｅｌｌ  ＩＤ、ＶＣＩＤ）を適用した復調基準信号を生成する段階と、
前記生成された復調基準信号を定められたリソースにマッピングして前記端末に送信する段階と、をさらに含むことを特徴とする、請求項１に記載のサブセルの高速なスイッチングのサポート方法。
【請求項６】
前記端末に対するサービングサブセルまたは隣接サブセルを含む協力送信測定集合を決定する段階と、
前記協力送信測定集合に含まれたサブセルのチャンネル測定のためのチャンネル測定情報基準信号リソースに対する設定情報を前記端末に送信する段階と、
前記サブセルに特定の仮想セル識別子（Ｖｉｒｔｕａｌ  Ｃｅｌｌ  ＩＤ、ＶＣＩＤ）を適用したチャンネル状態情報基準信号を生成する段階と、
前記生成されたチャンネル状態情報基準信号を前記設定情報に基づいて前記端末に送信する段階と、
前記協力送信測定集合に含まれたサブセルに対するゼロ送信電力チャンネル測定情報基準信号リソースに対する設定情報を前記端末に送信する段階と、
前記設定情報によって、前記端末に送信するリソースのデータ領域に前記ゼロ送信電力チャンネル測定情報基準信号をマッピングする段階と、
前記マッピングされたゼロ送信電力チャンネル測定情報基準信号を前記端末に送信する段階と、をさらに含み、
前記端末は、前記ゼロ送信電力チャンネル測定情報基準信号を介して干渉を測定することを特徴とする、請求項１に記載のサブセルの高速なスイッチングのサポート方法。
【請求項７】
前記サービングサブセルは、
前記フィードバック情報を隣接した隣接サブセルまたは中央スケジューラの少なくとも１つと共有し、
遠隔無線装備（Ｒｅｍｏｔｅ  Ｒａｄｉｏ  Ｈｅａｄ、ＲＲＨ）、送信地点（Ｔｒａｎｓｍｉｓｓｉｏｎ  Ｐｏｉｎｔ、ＴＰ）、小型セル（ｓｍａｌｌ  ｃｅｌｌ）の少なくとも１つを含むことを特徴とする、請求項１に記載のサブセルの高速なスイッチングのサポート方法。
【請求項８】
無線通信システムで高速なスイッチングをサポートし、任意のマクロカバレッジに含まれるサービングサブセルにおいて、
端末または上位ノードとの有無線通信を行う有無線インターフェース部と、
端末から前記サービングサブセルと隣接サブセルを含む複数個のサブセルに対する複数個のフィードバック情報を受信し、前記受信したフィードバック情報のそれぞれからチャンネル品質インジケーターを抽出し、前記抽出されたチャンネル品質インジケーターの大きさを比較し、前記比較した結果に基づいて前記端末の前記サブセルの高速なスイッチングを実行するか否かを決定する制御部と、を含み、
前記サービングサブセルは、前記マクロカバレッジに含まれた他のサブセルと同様の物理セル識別子を用い、
前記制御部は、
前記抽出された複数個のチャンネル品質インジケーターのうち、最大の大きさを有するチャンネル品質インジケーターが前記端末に対するサービングサブセルに対するチャンネル品質インジケーターであるか判定し、
前記判定した結果、最大の大きさを有するチャンネル品質インジケーターが前記端末に対するサービングサブセルに対するチャンネル品質インジケーターである場合、前記サービングサブセルを変更しないように制御することを特徴とする、サブセル。
【請求項９】
前記制御部は、
前記判定した結果、最大の大きさを有するチャンネル品質インジケーターが前記端末に対するサービングサブセルに対するチャンネル品質インジケーターではない場合、前記最大の大きさを有するチャンネル品質インジケーターに対するサブセルに前記端末の前記サブセルをスイッチングするように制御し、
前記サブセルは、前記マクロカバレッジに含まれた他のサブセルと同様の物理セル識別子を用い、
前記制御部は、
復調基準信号シーケンスを生成し、前記生成された復調基準信号シーケンスに前記サブセル別に互いに異なるスクランブリングＩＤ（Ｉｄｅｎｔｉｔｙ）を適用し、前記スクランブリングＩＤが適用された復調基準信号を定められたリソースにマッピングして前記端末に送信するように制御し、
チャンネル状態情報基準信号送信のための第１タイミングであるか判定し、前記第１タイミングの場合、設定されたリソース位置に前記チャンネル状態情報基準信号を送信するように制御することを特徴とする、請求項８に記載のサブセル。
【請求項１０】
前記制御部は、
チャンネル状態の情報基準信号送信のための第２タイミングであるか判定し、前記第２タイミングの場合、前記サービングサブセルに対する隣接サブセルがチャンネル状態の情報基準信号を送信するリソース位置に対応するリソース位置にランダムノイズまたはミューティングされたチャンネル状態情報の基準信号を適用するように制御し、
前記制御部は、
前記複数個のサブセルのそれぞれに特定の仮想セル識別子（Ｖｉｒｔｕａｌ  Ｃｅｌｌ  ＩＤ、ＶＣＩＤ）を適用した復調基準信号を生成し、前記生成された復調基準信号を定められたリソースにマッピングして前記端末に送信するように制御することを特徴とする、請求項９に記載のサブセル。
【請求項１１】
前記制御部は、
前記端末に対するサービングサブセルまたは前記隣接サブセルを含む協力送信測定集合を決定し、前記協力送信測定集合に含まれたサブセルのチャンネル測定のためのチャンネル測定情報基準信号リソースに対する設定情報を前記端末に送信し、前記サブセルに特定の仮想セル識別子（Ｖｉｒｔｕａｌ  Ｃｅｌｌ  ＩＤ、ＶＣＩＤ）を適用したチャンネル状態の情報基準信号を生成し、前記生成されたチャンネル状態情報基準信号を前記設定情報に基づいて前記端末に送信するように制御し、
前記制御部は、
前記協力送信測定集合に含まれたサブセルに対するゼロ送信電力チャンネル測定情報基準信号リソースに対する設定情報を前記端末に送信し、前記設定情報によって前記端末に送信するリソースのデータ領域に前記ゼロ送信電力チャンネル測定情報基準信号をマッピングして前記端末に送信するように制御することを特徴とする、請求項１０に記載のサブセル。
【請求項１２】
前記制御部は、
前記フィードバック情報を前記サービングサブセルに対する隣接サブセルまたは中央スケジューラの少なくとも１つと共有し、
前記サブセルは、
遠隔無線装備（Ｒｅｍｏｔｅ  Ｒａｄｉｏ  Ｈｅａｄ、ＲＲＨ）、送信地点（Ｔｒａｎｓｍｉｓｓｉｏｎ  Ｐｏｉｎｔ、ＴＰ）、小型セル（ｓｍａｌｌ  ｃｅｌｌ）の少なくとも１つを含むことを特徴とする、請求項８に記載のサブセル。
【請求項１３】
前記任意のマクロカバレッジに含まれるサブセルは、複数個であり、
前記複数個のサブセルは、物理セル識別子（ＰＣＩＤ）と、前記サブセルに特定の仮想セル識別子（ＶＣＩＤ）の組合せによって区別されることを特徴とする、請求項１に記載のサブセルの高速なスイッチングのサポート方法。
【発明の詳細な説明】
【技術分野】
【０００１】
本発明は、無線通信システムに関し、より具体的に協力通信を行う無線通信システムにおけるサブセルの高速なスイッチング方法及び装置に関する。
【背景技術】
【０００２】
一般的に、移動通信システムはユーザの活動性を保障すると共に音声サービスを提供するために開発された。しかし、移動通信システムは次第に音声のみならずデータサービスまで領域を確張しつつあり、現在には高速のデータサービスを提供することができる位置まで発展した。しかし、現在サービスが提供されている移動通信システムではリソースの不足現象及びユーザがより高速のサービスを要求するから、より発展した移動通信システムが要求されている。
【０００３】
このような要求に応じて次世代移動通信システムとして開発中である一つのシステムで３ＧＰＰ(Ｔｈｅ ３ｒｄ Ｇｅｎｅｒａｔｉｏｎ Ｐａｒｔｎｅｒｓｈｉｐ Ｐｒｏｊｅｃｔ)でＬＴＥ(Ｌｏｎｇ Ｔｅｒｍ Ｅｖｏｌｕｔｉｏｎ)に対する規格作業が進行中である。ＬＴＥは約１００Ｍｂｐｓ程度の送信速度を有する高速パケットに基づく通信を具現する技術である。このために、様々の方案が論議されているが、例えばネットワークの構造を簡単にして通信路上に位置するノードの数を減らす方案や、無線プロトコルを最大限の無線チャンネルに近接させる方案などがある。
【０００４】
一方、無線通信の性能を増加させるためにはラジオスペクトラムの効率的な使用が要求されるが、密集された(ｄｅｎｓｅ)ネットワーク環境でセル間の干渉は性能向上を制限する主な原因である。このようなセルの間の干渉問題を解決するための有望な技術としてマルチセル(Ｍｕｌｔｉ-ｃｅｌｌ)の間の協力送信技術が研究されている。
【０００５】
近年、セルエッジ(ｃｅｌｌ ｅｄｇｅ)性能及びカバレッジ(ｃｏｖｅｒａｇｅ)を向上させるための技術で協力通信、すなわち、ＣｏＭＰ(Ｃｏｏｒｄｉｎａｔｅｄ Ｍｕｌｔｉ-Ｐｏｉｎｔ ｔｒａｎｓｍｉｓｓｉｏｎ ａｎｄ ｒｅｃｅｐｔｉｏｎ)技術が研究中であり、特に異種網ネットワーク環境(ＨｅｔＮｅｔ、Ｈｅｔｅｒｏｇｅｎｅｏｕｓ Ｎｅｔｗｏｒｋ)におけるＣｏＭＰに対する研究が脚光を浴びており、特にＣｏＭＰ技術でサブセルの高速なスイッチングをサポートするための研究が進行中である。
【０００６】
また、最近、密集された小型セル設置(ｄｅｎｓｅ ｓｍａｌｌ ｃｅｌｌ ｄｅｐｌｏｙｍｅｎｔ)環境、すなわち、マクロカバレッジ内の従来よりさらに密集した小型セル環境(例えば、電車駅、ショッピングモール、運動場、競技場、シティスクエア、一般道路、ダウンタウン領域など)で干渉調節(ｃｏｏｒｄｉｎａｔｉｏｎ)技術だけでなく、移動性向上(Ｍｏｂｉｌｉｔｙ ｅｎｈａｎｃｅｍｅｎｔ)のために多くの研究が進行中である。
【発明の概要】
【発明が解決しようとする課題】
【０００７】
本発明は、前記のような研究動きによって案出されたもので、無線通信システムにおいてサブセルの高速なスイッチング方法及び装置を提供することを目的とする。
【０００８】
具体的に、本発明はマクロカバレッジ内に位置する少なくとも一つのサブセルがマクロ基地局と同様の物理セル識別子を用いる場合、前記サブセルを互いに区分して端末の復調のための復調基準信号及び端末のチャンネル測定のためのチャンネル状態情報基準信号を送信する方法と、端末から送信される複数のフィードバック情報を用いてサブセルの高速なスイッチング方法を提供することをその目的とする。
【課題を解決するための手段】
【０００９】
前記のような問題点を解決するための本発明の無線通信システムで任意のマクロカバレッジに含まれるサブセルの高速なスイッチングのサポート方法は、端末のサービングサブセルに対する第１フィードバック情報と、前記端末の隣接サブセルに対する第２フィードバック情報を受信する段階と、前記第１フィードバック情報で第１チャンネル品質インジケーターと、前記第２フィードバック情報で第２チャンネル品質インジケーターを抽出する段階と、前記第１チャンネル品質インジケーターと前記第２チャンネル品質インジケーターの大きさを比べ、前記比較結果によって前記端末のサブセルの高速なスイッチングをするか否かを決定する段階と、を含み、前記サブセルは前記マクロカバレッジに含まれた他のサブセルと同様の物理セル識別子を用いることを特徴とする。
【００１０】
本発明の他の実施形態によれば、本発明の無線通信システムで端末のチャンネル状態情報報告方法は、サブセルからチャンネル状態情報基準信号測定のための設定情報を受信する段階と、チャンネル状態情報基準信号送信のための第１タイミングで、サービングサブセルに対するチャンネル状態を測定して第１フィードバック情報を生成する段階と、チャンネル状態の情報基準信号送信のための第２タイミングで、隣接サブセルに対するチャンネル状態を測定して第２フィードバック情報を生成する段階と、及び前記生成された第１フィードバック情報及び第２フィードバック情報を前記サービングサブセルに報告する段階と、を含むことを特徴とする。
【００１１】
本発明の他の実施形態によれば、本発明の無線通信システムでサブセルの高速なスイッチングをサポートするサブセルにおいて、端末または上位ノードとの有無線通信を行う有無線インターフェース部、及び端末のサービングサブセルに対する第１フィードバック情報と前記端末の隣接サブセルに対する第２フィードバック情報を受信し、前記第１フィードバック情報で第１チャンネル品質インジケーターと前記第２フィードバック情報で第２チャンネル品質インジケーターを抽出し、前記第１チャンネル品質インジケーターと前記第２チャンネル品質インジケーターの大きさを比べ、前記比較結果によって前記端末のサブセルの高速なスイッチングをするか否かを決定する制御部と、を含み、前記サブセルは前記マクロカバレッジに含まれた他のサブセルと同様の物理セル識別子を用いることを特徴とする。
【００１２】
本発明の他の実施形態によれば、本発明の無線通信システムでチャンネル状態情報を報告する端末は、サブセルと無線通信を行う無線通信部と、及びサブセルからチャンネル状態情報基準信号測定のための設定情報を受信し、チャンネル状態の情報基準信号送信のための第１タイミングでサービングサブセルに対するチャンネル状態を測定して第１フィードバック情報を生成し、チャンネル状態情報基準信号送信のための第２タイミングで隣接サブセルに対するチャンネル状態を測定して第２フィードバック情報を生成し、前記生成された第１フィードバック情報及び第２フィードバック情報を前記サービングサブセルに報告するように制御する制御部と、を含むことを特徴とする。
【００１３】
また、本発明の他の実施形態による無線通信システムで任意のマクロカバレッジに含むサブセルの高速なスイッチングのサポート方法は、端末から複数個のサブセルに対する複数個のフィードバック情報を受信する受信段階と、前記受信したフィードバック情報のそれぞれでチャンネル品質インジケーターを抽出する抽出段階と、及び前記抽出されたチャンネル品質インジケーターの大きさを比べ、前記比較結果によって前記端末のサブセルの高速なスイッチングをするか否かを決定する決定段階と、を含むことを特徴とする。
この場合、前記マクロカバレッジに含まれるそれぞれのサブセルはＰＣＩＤ及びサブセルに特定のＶＣＩＤに基づいて区分されることができる。
【００１４】
本発明の他の実施形態によるサブセルは、ＤＭ-ＲＳ送信のために、前記サブセルに特定の仮想セル識別子(Ｖｉｒｔｕａｌ Ｃｅｌｌ ＩＤ、ＶＣＩＤ)を適用した復調基準信号を生成し、前記生成された復調基準信号を一定のリソースにマッピングして前記端末に送信することができる。
【００１５】
また、本発明の他の実施形態によるサブセルは、ＣＳＩ-ＲＳ送信のために、前記端末に対するサービングサブセルまたは隣接サブセルを含む協力送信測定集合を決定し、前記協力送信測定集合に含まれたサブセルのチャンネル測定のためのチャンネル測定情報基準信号リソースに対する設定情報を前記端末に送信し、前記サブセルに特定の仮想セル識別子(Ｖｉｒｔｕａｌ Ｃｅｌｌ ＩＤ、ＶＣＩＤ)を適用したチャンネル状態情報基準信号を生成し、前記生成されたチャンネル状態情報基準信号を前記設定情報に基づいて前記端末に送信することができる。
【００１６】
また、本発明の他の実施形態によるサブセルは、協力送信測定集合に含まれたサブセルに対するゼロ送信電力チャンネル測定情報基準信号リソースに対する設定情報を前記端末に送信し、前記設定情報によって、前記端末に送信するリソースのデータ領域に前記ゼロ送信電力チャンネル測定情報基準信号をマッピングして前記端末に送信することができる。この場合、端末は前記ゼロ送信電力チャンネル測定情報基準信号を介して干渉を測定する。
【発明の効果】
【００１７】
本発明によれば、マクロカバレッジ内に位置する少なくとも一つのサブセルがマクロ基地局と同様の物理セル識別子を用いる無線通信システムでも基準信号の間の干渉がなく、サブセルの間の高速のサブセルのスイッチングが可能である。これにより、本発明によればセルエッジ性能と送信効率を最大化することができるだけでなく、ハンドオーバー発生頻度を最小化してシームレス(ｓｅａｍｌｅｓｓ)の端末の移動性を保障することができる。
【図面の簡単な説明】
【００１８】
【図１】本発明の実施形態による無線通信システムの構造を示す図面である。
【図２】同一ＰＣＩＤを送信する２個のサブセルが、前記サブセルがサービスを提供するそれぞれの端末に独立的な復調をサポートするための復調基準信号を設定する方法を示す図面である。
【図３】同一ＰＣＩＤを有する隣接したサブセルが各端末の正確なチャンネル測定サポートのためにＣＳＩ-ＲＳ送信のためのリソースを割り当てる方法を示す図面である。
【図４】本発明の実施形態で、同一ＰＣＩＤを有する２個のサブセルの間のサブセルの高速なスイッチングを示す図面である。
【図５】端末が同一ＰＣＩＤを有する２個のサブセルに対する複数個のチャンネル状態情報をフィードバックするためのサブフレームサブセット設定を示す図面である。
【図６】本発明の実施形態によって、サブセルがＤＭＲＳを送信(または、設定)する過程を示す図である。
【図７Ａ】本発明の実施形態によって、サブセル０及びサブセル１がチャンネル状態情報基準信号(ＣＳＩ-ＲＳ)を送信(またはＣＳＩ-ＲＳリソースを割り当て)する過程を示す図である。
【図７Ｂ】本発明の実施形態によって、サブセル０及びサブセル１がチャンネル状態情報基準信号(ＣＳＩ-ＲＳ)を送信(またはＣＳＩ-ＲＳリソースを割り当て)する過程を示す図である。
【図８】本発明の実施形態によって、サブセルが端末から送信されるフィードバック情報を用いてサブセルの高速なスイッチングを行う過程を示す図面である。
【図９】本発明の実施形態による端末の動作遂行過程を示す図面である。
【図１０】本発明の他の実施形態による無線通信システムの構造を示す図面である。
【図１１】同一ＰＣＩＤを有するＮ個のサブセルのｓｅｒｖｅｄ端末に独立的な復調をサポートするためのＤＭ-ＲＳ設定を示す図面である。
【図１２】本発明の他の実施形態によって同一ＰＣＩＤを有するＮ個のサブセルが各端末がチャンネルを正確に測定するようにノン−ゼロ送信電力(Ｎｏｎ Ｚｅｒｏ Ｐｏｗｅｒ、ＮＺＰ)ＣＳＩ-ＲＳリソース設定(ｃｏｎｆｉｇｕｒａｔｉｏｎ)を示す図面である。
【図１３】同一ＰＣＩＤを有するサブセル(ＲＲＨｓ、ＴＰｓ、Ｓｍａｌｌ ｃｅｌｌｓ)の端末(Ｓｅｒｖｅｄ ＵＥｓ)に正確な干渉測定をサポートするためのＣＳＩ干渉測定(ＣＳＩ-ｉｎｔｅｒｆｅｒｅｎｃｅ ｍｅａｓｕｒｅｍｅｎｔ、ＣＳＩ-ＩＭ)リソース設定(ｃｏｎｆｉｇｕｒａｔｉｏｎ)方法を示す図面である。
【図１４】同一ＰＣＩＤを有するサブセルの間のサブセルの高速なスイッチングを行う方法を示す図面である。
【図１５】端末が３個の送信地点を考慮して最大８セットのＣＳＩを測定してフィードバックする方法に対して示す図面である。
【図１６】本発明の他の実施形態によって各サブセルが端末のチャンネル推定のためのＤＭＲＳを送信する過程を示す図面である。
【図１７】本発明の他の実施形態によって各サブセルが端末のチャンネル測定のためのＮＺＰ ＣＳＩ-ＲＳを送信する過程を示す図面である。
【図１８】本発明の他の実施形態によって、ｅＮＢが各サブセルを介して端末の干渉測定用途のＣＳＩ-ＩＭを送信する過程を示す図面である。
【図１９】本発明の他の実施形態によって、サブセルが端末から送信されるフィードバック情報を用いてサブセルの高速なスイッチングを行う過程を示す図面である。
【図２０】本発明の実施形態によるサブセルの内部構造を示すブロック図である。
【図２１】本発明の実施形態による端末の内部構造を示すブロック図である。
【発明を実施するための形態】
【００１９】
以下、添付された図面を参照して本発明の好ましい実施形態を詳しく説明する。この時、添付された図面で同じ構成要素はできるだけ同じ符号に付している事に留意すべきである。また、本発明の要旨を不必要にすることができる公知機能及び構成に対する詳細な説明は省略する。
【００２０】
添付図面を参照した以下の説明は、特許請求範囲及びその等価物により定義される本発明の多様な実施形態に対する包括的な理解を助けるために提供される。本明細書は理解を助けるために多様な特定細部事項を含んでいるが、これはただ例示的に見なされなければならない。したがって、技術分野で通常の技術者は本発明の思想及び範囲を逸脱せず本明細書で説明された多様な実施形態の多様な変形がなることができることを認識するでしょう。また、公知の機能及び構成に対する説明は明確性及び簡潔性のために省略されることができる。
【００２１】
以下の説明及び特許請求範囲で用いられる用語及び単語は書誌的意味に限らず、ただ、本発明の明確でかつ一貫性ある理解のために発明者によって用いられる。したがって、本発明の多様な実施形態に対する以下の説明は添付された特許請求範囲及びその等価物により定義される本発明を制限する目的ではなく、ただ例示の目的に提供されることは技術分野で通常の技術者に明白であろう。
【００２２】
文脈で明白に指示しない限り単数形態の表現は、複数の対象物を含むことに理解されなければならない。したがって、例えば、一つの構成要素表面に対する言及は１つまたはその以上のそういう表面らに対する言及を含む。
【００２３】
また、本発明の多様な実施形態の詳細な説明において、ＣｏＭＰ(ｃｏｏｐｅｒａｔｉｖｅ ｃｏｍｍｕｎｉｃａｔｉｏｎ Ｃｏｏｒｄｉｎａｔｅｄ Ｍｕｌｔｉ-Ｐｏｉｎｔ ｔｒａｎｓｍｉｓｓｉｏｎ ａｎｄ ｒｅｃｅｐｔｉｏｎ)をサポートする進化されたＥ-ＵＴＲＡ(Ａｄｖａｎｃｅｄ Ｅｖｏｌｖｅｄ Ｕｎｉｖｅｒｓａｌ ＴｅｒｒｅｓｔｒｉａｌＲａｄｉｏ Ａｃｃｅｓｓ)システムが主に論議される(ここで、進化されたＥ-ＵＴＲＡはＬＴＥ-Ａ(Ｌｏｎｇ Ｔｅｒｍ Ｅｖｏｌｕｔｉｏｎ Ａｄｖａｎｃｅｄ)に指称されることができる)。しかし、本発明の多様な実施形態は技術分野で通常の技術者により造られ、本発明の範囲を逸脱せず僅かの修正を介する類似の背景技術またはチャンネル類型を有する他の通信システムにも適用されることができる。
【００２４】
本発明の多様な実施形態によって、電子装置は通信機能を含むことができる。例えば、電子装置はスマートフォン、タブレットＰＣ(ｔａｂｌｅｔ Ｐｅｒｓｏｎａｌ Ｃｏｍｐｕｔｅｒ)、携帯電話、ビデオフォン、Ｅ-ブックリーダー電(ｅ-ｂｏｏｋ ｒｅａｄｅｒ)、デスクトップ ＰＣ(ｄｅｓｋｔｏｐ ＰＣ)、ラップトップＰＣ(ｌａｐｔｏｐ ＰＣ)、ネットブックＰＣ(ｎｅｔｂｏｏｋ ＰＣ)、ＰＤＡ(Ｐｅｒｓｏｎａｌ Ｄｉｇｉｔａｌ Ａｓｓｉｓｔａｎｔ)、ＰＭＰ(Ｐｏｒｔａｂｌｅ Ｍｕｌｔｉｍｅｄｉａ Ｐｌａｙｅｒ)、ｍｐ３プレーヤー、モバイル医療器機、カメラ、ウェアラブル装置(例えば、ＨＭＤ(Ｈｅａｄ-Ｍｏｕｎｔｅｄ Ｄｅｖｉｃｅ)、電子衣類、電子矯正機、電子ネックレス、電子アプセサリー(ｅｌｅｃｔｒｏｎｉｃ ａｐｐｃｅｓｓｏｒｙ)、電子タトゥー、またはスマートウォッチ)及び／または類似の装置であることができる。
【００２５】
本発明の多様な実施形態によって、電子装置は通信機能を有するスマート家機機器であることがある。スマート家電機器とは、例えば、テレビ、ＤＶＤプレーヤー、オーディオ、冷蔵庫、エアコン、真空清掃器、オーブン、電子レンジ、洗濯機、乾燥器、空気浄化装置、セットトップボックス、ＴＶボックス(例えば、三星ＨｏｍｅＳｙｎｃＴＭ、アップルＴＶＴＭ、またはＧｏｏｇｌｅＴＶＴＭ)、ゲームコンソール、電子辞典、電子キー、キャムコーダー、電子額縁及び／または類似の装置であることができる。
【００２６】
本発明の多様な実施形態によって、電子装置は医療器機(例えば、ＭＲＡ(Ｍａｇｎｅｔｉｃ Ｒｅｓｏｎａｎｃｅ Ａｎｇｉｏｇｒａｐｈｙ)装置、ＭＲＩ(Ｍａｇｎｅｔｉｃ Ｒｅｓｏｎａｎｃｅ Ｉｍａｇｉｎｇ)装置、ＣＴ(Ｃｏｍｐｕｔｅｄ Ｔｏｍｏｇｒａｐｈｙ)装置、撮影装置、または超音波装置)、ナビゲーション装置、ＧＰＳ(Ｇｌｏｂａｌ Ｐｏｓｉｔｉｏｎｉｎｇ Ｓｙｓｔｅｍ) 受信機、ＥＤＲ(Ｅｖｅｎｔ Ｄａｔａ Ｒｅｃｏｒｄｅｒ)、ＦＤＲ(Ｆｌｉｇｈｔ Ｄａｔａ Ｒｅｃｏｒｄｅｒ)、自動車インフォテンメント装置(ａｕｔｏｍｏｔｉｖｅ ｉｎｆｏｔａｉｎｍｅｎｔ ｄｅｖｉｃｅ)、海軍電子装置(例えば、海上ナビゲーション装置、ジャイロスコープ(ｇｙｒｏｓｃｏｐｅ)、または羅針盤)、航空電子装置、保安装置、産業ロボット、コンシューマーロボット(ｃｏｎｓｕｍｅｒ ｒｏｂｏｔ)及び／または類似の装置であることができる。
【００２７】
本発明の多様な実施形態によって、電子装置は家具、建物または建築物の一部、電子基板、電子署名受信装置、プロジェクター、各種測定装置(例えば、水、電気、ガスまたは電磁波測定装置)及び／または通信機能を有する類似の装置であることができる。
【００２８】
本発明の多様な実施形態によって、電子装置は前述の装置の任意の組合であることができる。また、本発明の多様な実施形態による電子装置が前述の装置に制限されないことは技術分野で通常の技術者に明白であろう。
発明の多様な実施形態によって、ユーザ装置(Ｕｓｅｒ  Ｅｑｕｉｐｍｅｎｔ(ＵＥ))は電子装置であることができる。
【００２９】
図１は、本発明の実施形態による無線通信システムの構造を示す図面である。具体的に、図１は２ＣＳＩフィードバックに基づくスモールセルの高速なスイッチング状況を示す図面である。
【００３０】
前記図１Ａを参照すれば、本発明の無線通信システムを構成する一つのマクロカバレッジ１１１は、マクロ基地局１１０によってサービス可能なサービス半径に定義されることができる。
【００３１】
前記マクロ基地局１１０は端末機と無線チャンネルを介して接続され、無線リソースを制御する。例えば、マクロ基地局１１０は、マクロセル内の必要な制御情報をシステム情報で生成して放送(Ｂｒｏａｄｃａｓｔｉｎｇ)したり、またはデータや制御情報を端末機と送受信するために無線リソースを割り当てることができる。それだけでなく、前記マクロ基地局１１０は端末から現在セルと隣接セルのチャンネル測定結果情報を聚合してハンドオーバーを決定し、ハンドオーバーをコマンドすることができる。このためにマクロ基地局１１０は、無線リソース管理に係るラジオリソースプロトコル(Ｒａｄｉｏ Ｒｅｓｏｕｒｃｅ Ｐｒｏｔｏｃｏｌ、ＲＲＣ)などの制御プロトコルを備える。
【００３２】
一方、前記マクロカバレッジ１１１の内部には少なくとも一つ以上のサブセル１２０、１３０、１４０、１５０、１６０が含まれることができる。前記サブセルは遠隔無線装備(Ｒｅｍｏｔｅ Ｒａｄｉｏ Ｈｅａｄ、ＲＲＨ)、送信地点(Ｔｒａｎｓｍｉｓｓｉｏｎ Ｐｏｉｎｔ、ＴＰ、ｓｍａｌｌ ｃｅｌｌ)を含むことができる。本発明の技術においてはサブセル、ＲＲＨ、ＴＰ、スモールセルを互いに混用して用いることができることを仮定する。
【００３３】
そして、各サブセルはＸ２インターフェースまたは中央スケジューラノード(Ｃｅｎｔｒａｌｉｚｅｄ Ｓｃｈｅｄｕｌｅｒ ｎｏｄｅ)を介して互いのチャンネル情報を共有することができる。本発明の実施形態によって、前記マクロ基地局１１０はマクロ基地局カバレッジ１１１内の隣接した２個のサブセル(ＲＲＨｓ、ＴＰｓ、ｓｍａｌｌ ｃｅｌｌｓ)に属したＵＥｓに同一 ＰＣＩＤを送信することができる。
【００３４】
以下、後述する本発明の実施形態ではマクロカバレッジ１１１の中に含まれたサブセル０(１５０)及びサブセル１(１６０)は互いに同一ＰＣＩＤ０を送信することを仮定する。サブセルの間の同一ＰＣＩＤを用いる場合、ＣＲＳ(Ｃｅｌｌ Ｓｐｅｃｉｆｉｃ Ｒｅｆｅｒｅｎｃｅ Ｓｉｇｎａｌｓ)干渉がなくなるという効果が得られる。
【００３５】
一方、互いに接したサブセル０(１５０)とサブセル１(１６０)は、それぞれ自分がサービスを提供する端末にデータを送信する。この場合、サブセル０(１５０)はサブセル１(１６０)がサービスを提供する端末に優れた(ｄｏｍｉｎａｎｔ)干渉を発生させ、同様にサブセル１(１６０)はサブセル０(１５０)がサービスを提供する端末に優れた干渉を発生させる。
【００３６】
また、図１のＢでは同様のパターンの斜線を有するサブセルはＰＣＩＤが同じ一つのセル(Ｏｎｅ ｃｅｌｌ)と見なし、前記サブセルの間には上位階層のＲＲＣ再設定が必要なハンドオーバーが発生しないということを示す。
【００３７】
図２は、同一ＰＣＩＤを送信する２個のサブセルが、前記サブセルがサービスを提供するそれぞれの端末に独立的な復調をサポートするためにチャンネル測定のための復調基準信号を設定する方法を示す図面である。
図２に示したように、本発明ではサブセル０(１５０)及びサブセル１(１６０)が端末に送信する無線リソースの基本単位は時間と周波数から構成されるサブフレーム(ｓｕｂ-ｆｒａｍｅ)と仮定し、前記サブフレームは周波数軸に１２個のサブキャリア(ｓｕｂ-ｃａｒｒｉｅｒ)、時間軸には１４個のシンボルからなる。サブセルは前記サブフレームを介して制御情報及びデータを端末に送信する。
【００３８】
一方、図２に示される無線リソースには以下のような複数個の互いに異なる種類の信号が送信されることができる。
【００３９】
１．ＣＲＳ(セル特定基準信号、Ｃｅｌｌ Ｓｐｅｃｉｆｉｃ ＲＳ):一つのセル(ｃｅｌｌ)に属したすべての端末のために周期的に送信される基準信号であり、複数個の端末が共通的に用いることができる。
【００４０】
２.ＤＭＲＳ(復調基準信号、Ｄｅｍｏｄｕｌａｔｉｏｎ Ｒｅｆｅｒｅｎｃｅ Ｓｉｇｎａｌ)：特定端末のために送信される基準信号であり、当該端末にデータを送信する場合にだけ送信される。ＤＭＲＳは総８個のＤＭＲＳポート(ｐｏｒｔ)からなることができる。ＬＴＥ／ＬＴＥ-Ａではｐｏｒｔ７からｐｏｒｔ  １４までＤＭＲＳｐｏｒｔに該当し、ｐｏｒｔはＣＤＭまたはＦＤＭを用いて互いに干渉を発生させないように直交性(ｏｒｔｈｏｇｏｎａｌｉｔｙ)を維持する。
【００４１】
３.ＰＤＳＣＨ(物理ダウンリンク共有チャンネル、Ｐｈｙｓｉｃａｌ Ｄｏｗｎｌｉｎｋ Ｓｈａｒｅｄ Ｃｈａｎｎｅｌ):ダウンリンクに送信されるデータチャンネルで基地局が端末にトラフィックを送信するために用い、前記図２のデータ領域(ｄａｔａ ｒｅｇｉｏｎ)で基準信号が送信されないＲＥを用いて送信される。
【００４２】
４．ＣＳＩ-ＲＳ(チャンネル状態情報基準信号、Ｃｈａｎｎｅｌ Ｓｔａｔｕｓ Ｉｎｆｏｒｍａｔｉｏｎ Ｒｅｆｅｒｅｎｃｅ Ｓｉｇｎａｌ)：一つのｃｅｌｌに属した端末のために送信される基準信号をチャンネル状態を測定するのに用いられる。一つのセルには一つまたは複数個のＣＳＩ-ＲＳが送信されることができる。
【００４３】
５.その他、制御チャンネル (ＰＨＩＣＨ、ＰＣＦＩＣＨ、ＰＤＣＣＨ)：端末がＰＤＳＣＨを受信することに必要な制御情報を提供したりアップリンクのデータ送信に対するＨＡＲＱを操作するためのＡＣＫ／ＮＡＣＫ送信。
【００４４】
図２ではサブセルが送信する信号のうちで特に、復調基準信号(ＤＭＲＳ)送信方法に対して記述する。隣接したサブセルが同一ＰＣＩＤを用いる場合、ＤＭＲＳをサブセル(ＴＰ、Ｓｍａｌｌ ｃｅｌｌ、ＲＲＨ)特定するように区別しない場合、干渉を干渉と認識することができない。
【００４５】
これを防止するため、本発明では同一ＰＣＩＤを有するサブセル０(１５０)とサブセル１(１６０)がサービスを提供するそれぞれの端末が独立的な復調(ｄｅｍｏｄｕｌａｔｉｏｎ)を行うのが可能になるようにサブセル０(１５０)とサブセル１(１６０)がそれぞれのＤＭＲＳにスクランブリングシーケンス(ｓｃｒａｍｂｌｉｎｇ ｓｅｑｕｅｎｃｅ)に互いに異なるＳｃｒａｍｂｌｉｎｇ ＩＤ(ｎＳＣＩＤ)を適用する方案を提示する。すなわち、本発明ではＳｃｒａｍｂｌｉｎｇ ＩＤを用いて同一ＰＣＩＤを有するサブセルを区分する。換言すると、同一ＰＣＩＤを有する２個のサブセルに互いに異なるｎＳＣＩＤ(Ｓｃｒａｍｂｌｉｎｇ Ｉｄｅｎｔｉｔｙ、Ｓｃｒａｍｂｌｉｎｇ ＩＤ)０又は１を適用して干渉をランダム化(ｉｎｔｅｒｆｅｒｅｎｃｅ ｒａｎｄｏｍｉｚａｔｉｏｎ)する。
【００４６】
より具体的に、サブセル０(１５０)は自分がサービスする特定端末に対するＤＭＲＳ(２１０)にスクランブリングコード０(ｎＳＣＩＤ＝０)を適用して送信し、サブセル１(１６０)は自分がサービスする特定端末に対するＤＭＲＳ(２２０)にスクランブリングコード１(ｎＳＣＩＤ＝１)を適用して送信する。
【００４７】
これにより、隣接したサブセルが互いに同一ＰＣＩＤを持っても、ＤＭＲＳに対するスクランブリングシーケンスに互いに異なるスクランブリングコードを適用して端末のデータチャンネル(ＰＤＳＣＨ)推定に互いの干渉を正確に反映することができる。また、アンテナポート７〜１４を用い、各サブセル別にランク(Ｒａｎｋ ２)以上のマルチレイヤー(ｍｕｌｔｉ-ｌａｙｅｒ)をサポートすることができる。
【００４８】
図３は、同一ＰＣＩＤを有する隣接したサブセルが各端末の正確なチャンネル測定サポートのためにＣＳＩ-ＲＳ送信のためのリソースを割り当てる方法を示す図面である。
図３ではサブセルが送信する信号のうちで特に、チャンネル状態を測定するのに用いられるＣＳＩ-ＲＳ送信方法に対して記述する。
【００４９】
図３に示したように、同一ＰＣＩＤを有するサブセル０(１５０)とサブセル１(１６０)は同様のリソース要素(Ｒｅｓｏｕｒｃｅ Ｅｌｅｍｅｎｔ)位置にチャンネル測定用途のＣＳＩ-ＲＳのためのリソースを割り当てる。より具体的に、サブセル０(１５０)がＣＳＩ-ＲＳ送信のために割り当てたＲＥリソース３１０と、サブセル１(１６０)がＣＳＩ-ＲＳ送信のために割り当てたＲＥリソース３２０はサブフレームで互いに同様の位置である。ここで、前記ＣＳＩ-ＲＳはノン−ゼロパワー ＣＳＩ-ＲＳ(Ｎｏｎ Ｚｅｒｏ Ｐｏｗｅｒ、ＮＺＰ)と称することもできる。これを通じて、各端末はチャンネル状態を正確に測定することができる。
【００５０】
端末が前記のＣＳＩ-ＲＳを受信してチャンネル状態を測定し、これをサブセルにフィードバックする過程に対しては後述する。
【００５１】
図４は、本発明の実施形態で、同一ＰＣＩＤを有する２個のサブセルの間のサブセルの高速なスイッチングを示す図面である。
【００５２】
図４に示された本発明の実施形態によれば、端末(４１０、４２０)はそれぞれサブセル０(１５０)及びサブセル１(１６０)から送信されたＣＳＩ-ＲＳを受信してチャンネル状態を測定し、これらに対するフィードバック情報をそれぞれ生成し、自分のサービングサブセルに報告する。
【００５３】
より具体的に、端末４１０は第１タイミングでチャンネル状態を測定して測定結果を反映して第１フィードバック情報を生成し、第２タイミングでチャンネル状態を測定して測定結果を反映して第２フィードバック情報を生成する。前記フィードバック情報は、チャンネル状態情報(Ｃｈａｎｎｅｌ Ｓｔａｔｕｓ Ｉｎｆｏｒｍａｔｉｏｎ、ＣＳＩ)とも称することができ、具体的にチャンネル品質インジケーター(Ｃｈａｎｎｅｌ Ｑｕａｌｉｔｙ Ｉｎｄｉｃａｔｏｒ、ＣＱＩ)、プリーコーディングマトリックスインジケーター(Ｐｒｅｃｏｄｉｎｇ Ｍａｔｒｉｘ Ｉｎｄｅｘ、ＰＭＩ)、ランクインジケーター(ＲａｎｋＩｎｄｉｃａｔｏｒ、ＲＩ)を含むことができる。
【００５４】
また、前記第１タイミングはサービングセルに対するチャンネル状態を測定するために設定され、前記第２タイミングは隣接サブセル、すなわち、ｄｏｍｉｎａｎｔ干渉サブセルに対するチャンネル状態を測定するために設定されることができる。
そして、端末４１０は、一定のタイミングで前記第１及び第２フィードバック情報を自分のサービングサブセルに報告する。
同様に、端末４２０も第１タイミング及び第２タイミングでそれぞれのフィードバック情報を生成してこれを自分のサービングサブセルに報告する。
【００５５】
このような過程を通じて、図４に示されるサブセル０(１５０)とサブセル１(１６０)は一つの端末から２個の種類のフィードバック情報、すなわち、サービングサブセルに対する第１フィードバック情報及び干渉サブセルに対する第２フィードバック情報を受信する。
【００５６】
すると、サブセルは前記の２個のフィードバック情報を用いて端末の高速サブセルスイッチングするか否かを決定する。本発明の好ましい実施形態によれば、サブセルは前記フィードバック情報のうち、ＣＱＩ値を比べて高速サブセルスイッチングするか否かを決定することができる。
【００５７】
前記の通りに、本発明の実施形態では端末がフィードバックしたチャンネル状態情報に基づいてサブセルの間の高速セルスイッチングするか否かを決定するから、上位階層(ｈｉｇｈｅｒ ｌａｙｅｒ)のＲＲＣ再設定(Ｒａｄｉｏ Ｒｅｓｏｕｒｃｅ ＣｏｎｔｒｏｌＲｅｃｏｎｆｉｇｕｒａｔｉｏｎ)が必要ではなく、サブセルの間の高速のスイッチングが可能である。
【００５８】
本発明の好ましい実施形態によれば、端末のサブセルのスイッチングするか否かを基地局ノードの間のＸ２インターフェースに基づいて各サブセルがチャンネル状態情報を共有してサブセル自分が決定することができ、または各サブセルと接続された中央スケジューラノード(Ｃｅｎｔｒａｌ Ｓｃｈｅｄｕｌｅｒ ｎｏｄｅ)が決定することもできる。本発明の実施形態ではいずれかの実施形態に限って適用される必要はない事に留意しなければならない。
【００５９】
図５は、端末が同一ＰＣＩＤを有する２個のサブセルに対する複数個のチャンネル状態情報をフィードバックするためのサブフレームサブセット設定を示す図面である。
【００６０】
本発明の実施形態ではサブセルの高速なスイッチングを行うため、サービングサブセル及び干渉サブセルのそれぞれに対する端末のフィードバック情報が必要である。この場合、前記フィードバック情報はチャンネル状態情報(Ｃｈａｎｎｅｌ Ｓｔａｔｕｓ Ｉｎｆｏｒｍａｔｉｏｎ、ＣＳＩと共称することができ、具体的にチャンネル品質インジケーター(Ｃｈａｎｎｅｌ Ｑｕａｌｉｔｙ Ｉｎｄｉｃａｔｏｒ、ＣＱＩ)、プリーコーディングマトリックスインジケーター(Ｐｒｅｃｏｄｉｎｇ Ｍａｔｒｉｘ Ｉｎｄｅｘ、ＰＭＩ)、ランクインジケーター(Ｒａｎｋ Ｉｎｄｉｃａｔｏｒ、ＲＩ)を含むことができる。
【００６１】
端末がサービングセル及び干渉セルのそれぞれに対するフィードバック情報を測定してこれを報告するため、本発明では第１サブフレームサブセット０(５１０)及び第２サブフレームサブセット１(５２０)、第１タイミング５３０及び第２タイミング５４０を定義する。
【００６２】
第１サブフレームサブセット０(５１０)は、サブセル０(１５０)のチャンネルを測定するためのサブフレームであり、第２サブフレームサブセット１(５２０)は、サブセル１(１６０)のチャンネルを測定するためのサブフレームである。前記第１サブフレームサブセット０(５１０)及び第２サブフレームサブセット１(５２０)にはそれぞれの第１タイミング５３０及び第２タイミング５４０が定義される。
【００６３】
端末は前記第１タイミング５３０でサブセル０(１５０)またはサブセル１(１６０)のチャンネルを測定する。好ましくは、前記第１タイミング５３０ではサブセル０(１５０)に対するチャンネル状態が測定される。また、端末は前記第２タイミング５４０でサブセル１(１６０)またはサブセル０(１５０)のチャンネルを測定する。好ましくは、前記第２タイミング５４０ではサブセル１(１６０)に対するチャンネル状態が測定される。
【００６４】
本発明の実施形態では前記第１タイミング５３０と第２タイミング５４０の割り当てパターンはそれぞれ１０ｍｓの周期を持つことができ、５ｍｓごとに第１タイミング５３０(ｅｖｅｎ)と第２タイミング５４０(ｏｄｄ)を交代に設定することができる。より具体的に、１０個のサブフレームが１個のラジオフレームを構成し、一つのサブフレームの時間長さが１ｍｓと仮定する場合、任意の一つのラジオフレームの０番目のサブフレームが第１タイミングと設定され、前記ラジオフレームの５番目のサブフレームが第２タイミングと設定されることができる。
【００６５】
そして、同一ＰＣＩＤを有するサブセル０(１５０)とサブセル１(１６０)は各端末がチャンネル状態を正確に測定するように、ＣＳＩ-ＲＳを割り当てるＲＥ位置にＮＺＰ ＣＳＩ-ＲＳ割り当て、ランダムノイズ発生、Ｍｕｔｅｄ ＣＳＩ-ＲＳ割り当てを適応的(ａｄａｐｔｉｖｅ)で適用することができる。
【００６６】
具体的に、第１タイミングで、サブセル０(１５０)は第１サブフレームサブセット(５１０)の予め定められたＲＥｓ位置にサブセル０(１５０)のチャンネル測定のためのＮＺＰ ＣＳＩ-ＲＳを割り当てて、サブセル１(１６０)は端末が前記サブセル０(１５０)に対するチャンネルを測定するに当たり前記サブセル１(１６０)の干渉が反映されるように前記サブセル０(１５０)のＮＺＰ ＣＳＩ-ＲＳが割り当てられた位置に対応されるＲＥ(ｓ)位置にランダムノイズ(Ｒａｎｄｏｍ Ｎｏｉｓｅ)を適用する。当該ＴＴＩにサブセル１(１６０)がブランク(ｂｌａｎｋ)であれば、サブセル１(１６０)は端末が前記サブセル０(１５０)に対するチャンネルを測定するに当たり前記サブセル１(１６０)の干渉が反映されないように前記サブセル０(１５０)のＮＺＰ ＣＳＩ-ＲＳが割り当てられた位置に対応されるＲＥｓ位置にＭｕｔｅｄ ＣＳＩ-ＲＳを設定する。Ｍｕｔｅｄ ＣＳＩ-ＲＳとは、ゼロ電力送信ＣＳＩ-ＲＳ(Ｚｅｒｏ Ｐｏｗｅｒ Ｔｒａｎｓｍｉｓｓｉｏｎ ＣＳＩ-ＲＳ)と混用されて用いられることができ、送信電力が０であるＣＳＩ-ＲＳを意味する。
【００６７】
また、第２タイミングで、サブセル１(１６０)は第２サブフレームサブセット１(５２０)の予め定められたＲＥｓ位置にサブセル１(１６０)のチャンネル測定のためのＮＺＰＣＳＩ-ＲＳを割り当てて、サブセル０(１５０)は端末が前記サブセル１(１６０)に対するチャンネルを測定するのに当たり前記サブセル０(１５０)の干渉が反映されるように前記サブセル１(１６０)のＮＺＰ ＣＳＩ-ＲＳが割り当てられた位置に対応されるＲＥｓ位置にランダムノイズ(Ｒａｎｄｏｍ Ｎｏｉｓｅ)を適用する。当該ＴＴＩにサブセル０(１５０)がブランク(ｂｌａｎｋ)であればサブセル０(１５０)は端末が前記サブセル１(１６０)に対するチャンネルを測定するに当たり前記サブセル０(１５０)の干渉が反映されないように前記サブセル１(１６０)のＮＺＰ ＣＳＩ-ＲＳが割り当てられた位置に対応されるＲＥｓ位置にＭｕｔｅｄ ＣＳＩ-ＲＳを設定する。
【００６８】
図６は、本発明の実施形態によって、サブセルがＤＭＲＳを送信する過程を示すフローチャートである。
先ず、サブセルはＳ６１０段階で、前記ＤＭＲＳを送信するためのサブフレーム内でのＲＥ 位置を確認する。
【００６９】
そして、サブセルはＳ６２０段階で、ＤＭＲＳスクランブリングシーケンスにサブセル別で互いに異なるスクランブリングＩＤを適用する。例えば、前記サブセルがサブセル０の場合、スクランブリングＩＤ０(ｎＳＣＩＤ＝０)を適用することができる。
そして、サブセルはＳ６３０段階で、ＤＭＲＳに対するスクランブリングシーケンスを生成する。
そして、サブセルはＳ６４０段階で、前記確認されたリソースに、前記スクランブリングコードが適用されたＤＭＲＳをマッピングして端末に指示(ｉｎｄｉｃａｔｉｏｎ)する。
【００７０】
図７Ａ及び図７Ｂは、本発明の一実施形態によって、サブセル０及びサブセル１によってＣＳＩ-ＲＳを送信するそれぞれの過程を示すフローチャートである。
図７Ａは、本発明の実施形態によって、サブセルがチャンネル状態情報基準信号(ＣＳＩ-ＲＳ)を送信する過程を示すフローチャートである。図７Ａの過程を行うサブセルがサブセル０(１５０)であることを仮定する。
【００７１】
先ず、サブセル０はＳ７１０段階で、サブセル０が割り当てるＣＳＩ-ＲＳリソースの設定情報(ｃｏｎｆｉｇｕｒａｔｉｏｎ)を端末に送信または指示(ｉｎｄｉｃａｔｉｏｎ)する。前記設定情報はサブフレームサブセット関連情報、前記サブフレームサブセットにおける割り当てパターン情報、長さ情報などを含むことができる。
そして、サブセル０はＳ７２０段階で、現在時点が第１タイミングであるか否かを判定する。
【００７２】
第１タイミングの場合、サブセル０はＳ７３０段階へ進行して予め設定されたリソース位置(ＲＥ)にサブセル０のチャンネル測定のためのＮＺＰ ＣＳＩ-ＲＳを送信する。
一方、Ｓ７２０段階で、第１タイミングではない場合、サブセル０はＳ７４０段階へ進行して第２タイミングであるか否かを決定する。
第２タイミングの場合、サブセル０はＳ７５０段階へ進行して第２サブフレームサブセット１(５２０)でサブセル１のＮＺＰ ＣＳＩ-ＲＳが設定されたリソース位置を確認する。
【００７３】
そして、サブセル０はＳ７６０段階で、前記確認されたサブセル１のＮＺＰ ＣＳＩ-ＲＳが設定されたリソース位置に対応されるリソース位置にランダムノイズまたはＭｕｔｅｄ(ＺＰ)ＣＳＩ-ＲＳを割り当てまたは適用する。
逆に、もしサブセル０がＳ７４０段階で、現在時点が第２タイミングに相当しないと決定した場合、前記サブセル０はＳ７２０段階へ戻る。
【００７４】
図７Ｂは、本発明の実施形態によって、サブセルがチャンネル状態情報基準信号(ＣＳＩ-ＲＳ)を送信する過程を示すフローチャートである。図７Ｂの過程を行うサブセルがサブセル１(１６０)であることを仮定する。
【００７５】
先ず、サブセル１はＳ７７０段階で、サブセル１が割り当てるＣＳＩ-ＲＳリソースの設定情報(ｃｏｎｆｉｇｕｒａｔｉｏｎ)を端末に送信または指示(ｉｎｄｉｃａｔｉｏｎ)する。前記設定情報はサブフレームサブセット関連情報、前記サブフレームサブセットでの割り当てパターン情報、長さ情報などを含むことができる。
そして、サブセル１はＳ７７５段階で、現在時点が第１タイミングであるか否かを判定する。
第１タイミングの場合、サブセル１はＳ７８０段階へ進行して第１サブフレームサブセット０(５１０)でサブセル０のＮＺＰ ＣＳＩ-ＲＳが設定されたリソース位置を確認する。
【００７６】
そして、サブセル１はＳ７８５段階で、前記確認されたサブセル０のＮＺＰ ＣＳＩ-ＲＳが設定されたリソース位置に対応されるリソース位置にランダムノイズまたはＭｕｔｅｄ(ＺＰ) ＣＳＩ-ＲＳを割り当てまたは適用する。
一方、Ｓ７７５段階での判定結果、第１タイミングではない場合、サブセル１はＳ７９０ 段階へ進行して第２タイミングであるか否かを判定する。
第２タイミングの場合、サブセル１はＳ７９５段階へ進行して予め設定されたリソース位置(ＲＥ)にサブセル１のチャンネル測定のためのＮＺＰ ＣＳＩ-ＲＳを送信する。
一方、サブセル１がＳ７９０段階で、現時点が第２タイミングに相当しないと判定した場合、前記サブセル１はＳ７７５段階へ進行する。
【００７７】
図８は、本発明の実施形態により、サブセルが端末から送信されるフィードバック情報を用いてサブセルの高速なスイッチングを行う過程を示すフローチャートである。
【００７８】
もし、サブセルがＳ８１０段階で、現時点がフィードバック情報受信のためのタイミングに相当しないと判定した場合であれば、前記サブセルは端末からフィードバック情報を受信するためのタイミングまで待機する。
【００７９】
一方、サブセルがＳ８１０段階で、現時点がフィードバック情報を受信するタイミングに相当すると判定した場合であれば、サブセルはＳ８２０段階で端末から送信されるフィードバック情報を受信する。前記フィードバック情報は、前記端末に対するサービングサブセルに対するフィードバック情報及び前記端末に対するｄｏｍｉｎａｎｔ干渉サブセルに対するフィードバック情報を含むことができる。
【００８０】
そして、サブセルはＳ８３０段階で、前記フィードバック情報からサービングサブセル及び ｄｏｍｉｎａｎｔ干渉サブセルに対するチャンネル品質情報(Ｃｈａｎｎｅｌ Ｑｕａｌｉｔｙ Ｉｎｆｏｒｍａｔｉｏｎ)を確認する。
【００８１】
そして、サブセルはＳ８４０段階で、サービングサブセルのＣＱＩとｄｏｍｉｎａｎｔ干渉サブセルのＣＱＩを比べる。一方、前記の本発明の実施形態では端末から受信したフィードバック情報のうちでＣＱＩを比べる特徴に対してだけ記述したが、必ずここに限定される必要はない。例えば、サブセルは前記フィードバック情報に含まれたＣＱＩだけでなくＲＩ又はＰＭＩもサブセルの間のサブセルの高速なスイッチング判定のための基準とすることもできる。そして、サブセルはＳ８４０段階で、ｄｏｍｉｎａｎｔサービングサブセルのＣＱＩが干渉サブセルのＣＱＩより大きいのか否かを判定する。
【００８２】
サービングサブセルのＣＱＩがｄｏｍｉｎａｎｔ干渉サブセルのＣＱＩより大きいというのは、サービングサブセルと端末の間のチャンネル状態がｄｏｍｉｎａｎｔ干渉サブセルと端末の間のチャンネル状態より良好であるということを意味することができる。
【００８３】
これにより、サービングサブセルのＣＱＩがｄｏｍｉｎａｎｔ干渉サブセルのＣＱＩより大きい場合、サブセル(サービングサブセル)はＳ８６０段階へ進行して当該端末に続いてサービスを提供する。
【００８４】
一方、サービングサブセルのＣＱＩがｄｏｍｉｎａｎｔ干渉サブセルのＣＱＩより小さな場合、サブセルはＳ８７０段階へ進行してサービングサブセルでｄｏｍｉｎａｎｔ干渉サブセルでサブセルの高速なスイッチングを行う。
【００８５】
一般的に、端末がハンドオーバーを行う場合には端末が報告したＲＳＲＰ(Ｒｅｆｅｒｅｎｃｅ Ｓｉｇｎａｌ Ｒｅｃｅｉｖｅｄ Ｐｏｗｅｒ)または基地局(ｅＮＢ)が測定したＳＲＳ電力(ｐｏｗｅｒ)を基準でハンドオーバーであるか否かを決定し、上位階層によってＲＲＣ再設定(ＲＲＣ Ｒｅｃｏｎｆｉｇｕｒａｔｉｏｎ)を設定しなければならないから時間遅延が発生することができる。
【００８６】
一方、前記本願発明のサブセルの高速なスイッチングはＲＳＲＰではないＣＱＩをスイッチング基準で導入し、また、上位階層によってＲＲＣ再設定(ＲＲＣ Ｒｅｃｏｎｆｉｇｕｒａｔｉｏｎ)過程が必要ではないから、サブセルの間の高速のスイッチングが可能である。
【００８７】
図９は、本発明の実施形態による端末の動作遂行過程を示すフローチャートである。
先ず、端末はＳ９１０段階で、ＤＭＲＳ処理過程であるか否かを判定する。
ＤＭＲＳ処理過程の場合、端末はＳ９２０段階へ進行してサブセルから送信されるＤＭＲＳを受信する。そして、端末はＳ９３０段階で、サブセルから獲得したスクランブリングＩＤ(Ｉｄｅｎｔｉｔｙ)情報(ｎＳＣＩＤ)を用いて前記ＤＭ-ＲＳをデスクランブリングする。ここで前記ＤＭＲＳをデスクランブリングするということは当該サブセルのためのＤＭ-ＲＳを検出(ｄｅｔｅｃｔｉｏｎ)するということを意味することもできる。その後、端末はＳ９４０段階へ進行する。
【００８８】
そして、端末はＳ９４０段階で、前記 ＤＭＲＳを用いて復調のためのチャンネル推定を行う。以後、端末は前記チャンネル推定結果に基づいてデータを受信することができる。
一方、端末はＳ９１０段階で、ＤＭＲＳ処理過程ではない場合、Ｓ９５０段階へ進行し、ＣＳＩ-ＲＳ処理過程であるか否かを判定する。
もし、端末がＳ９５０段階でＣＳＩ-ＲＳ処理過程を行わないと決定すると、Ｓ９１０段階へ進行する。
【００８９】
ＣＳＩ-ＲＳ処理過程の場合、端末はＳ９６０段階へ進行して第１タイミング及び第２タイミングでＣＳＩ-ＲＳを受信する。その後、段末はＳ９７０段階へ進行する。
端末はＳ９７０段階で、各タイミングでのＣＳＩ-ＲＳを用いて各タイミングにおけるフィードバック情報を生成する。換言すれば、端末は第１タイミングで測定したチャンネル状態に基づいて第１フィードバック情報を生成し、第２タイミングで測定したチャンネル状態に基づいて第２フィードバック情報を生成する。
【００９０】
そして、端末はＳ９８０段階で、前記生成された第１及び第２フィードバック情報を定められたタイミングでサービングサブセルで送信する。前記サービングサブセルで送信されたフィードバック情報は干渉サブセルまたは中央スケジューラノードと共有されることができる。
【００９１】
一方、前記実施形態ではＤＭ-ＲＳとＣＳＩ-ＲＳ観点で同一ＰＣＩＤを有する２個のサブセル(Ｓｕｂｃｅｌｌ)ｓだけを区分するのが可能であり、端末がサービングサブセル(ＲＲＨ、ＴＰ、Ｓｍａｌｌ ｃｅｌｌ)とｄｏｍｉｎａｎｔ干渉サブセルに対するＣＳＩ(e．ｇ．ＣＱＩ)だけをフィードバックすることができる場合に、同一ＰＣＩＤを有するサブセルの間のサブセルの高速なスイッチングを含むＯｎｅ ｃｅｌｌ ｏｐｅｒａｔｉｏｎｓｃｅｎａｒｉｏに対して記述した。
【００９２】
しかし、本発明は、規格の制限と端末の能力(Ｃａｐａｂｉｌｉｔｙ)制約によって同一ＰＣＩＤを有する２個のサブセルだけを考慮したサブセルの高速なスイッチング(ｆａｓｔｓｕｂｃｅｌｌ ｓｗｉｔｃｈｉｎｇ)を含むＯｎｅ ｃｅｌｌ ｏｐｅｒａｔｉｏｎ ｓｃｅｎａｒｉｏに限らず、３つ以上のサブセルを考慮したサブセルの高速なスイッチングを含むＯｎｅ ｃｅｌｌ ｏｐｅｒａｔｉｏｎ ｓｃｅｎａｒｉｏも可能である。
【００９３】
以下、本発明の他の実施形態では一つのマクロセル内でＤＭ-ＲＳとＣＳＩ-ＲＳ観点で同一 ＰＣＩＤを有する３つ以上のＮ個のサブセルを区分し、端末の複数個のＣＳＩフィードバック(ｍｕｌｔｉｐｌｅ ＣＳＩｆｅｅｄｂａｃｋ)に基づいてサブセルの高速なスイッチングを行う方法に対して記述する。
【００９４】
図１０は、本発明の他の実施形態による無線通信システムの構造を示す図面である。具体的に、図１０は３ＣＳＩフィードバックに基づくスモールセルの高速なスイッチング状況を示す図面である。
【００９５】
図１０を説明するにおいて図１の説明と重複される内容は詳しい説明を省略する。
図１０に示されるマクロカバレッジ内のサブセル((ＲＲＨｓ、ＴＰｓ、Ｓｍａｌｌ ｃｅｌｌｓ)はマクロセルと同一ＰＣＩＤを有する。また、各サブセルはＸ２インターフェースまたは中央スケジューラノード１０００を介して互いのチャンネル情報を共有することができる。
【００９６】
それぞれのサブセル０(１０１０)、サブセル１(１０２０)、サブセル２(１０３０)はそれぞれがサービスを提供する端末(ｓｅｒｖｅｄ ＵＥ)にデータを送信する。すなわち、サブセル ０(１０１０)は端末Ａにデータを送信し、サブセル１(１０２)は端末Ｂにデータを送信し、サブセル２(１０３０)は端末Ｃにデータを送信する。
【００９７】
この場合、サブセル０(１０１０)は端末Ｂ及び端末Ｃにｄｏｍｉｎａｎｔした干渉を発生させ、サブセル１(１０２０)は端末Ａ及び端末にｄｏｍｉｎａｎｔした干渉を発生させ、サブセル２(１０３０)は端末Ａ及び端末Ｂにｄｏｍｉｎａｎｔした干渉を発生させる。
【００９８】
一方、図１０に示された無線通信システムに基づいて提案する１つのセル動作シナリオで、マークでカバレッジ内の各サブセルは同一ＰＣＩＤを有するので各サブセルを互いに区分する必要がある。このために、本実施形態では端末に特定の仮想セルＩＤ(ＵＥ-ｓｐｅｃｉｆｉｃ Ｖｉｒｔｕａｌ Ｃｅｌｌ ＩＤ)をサブセルに特定(ｓｕｂｃｅｌｌ-ｓｐｅｃｉｆｉｃ)するように適用する。前記仮想セルＩＤは送信地点の間のＤＭ-ＲＳ直交性(ｉｎｔｅｒ-ＴＰ ＤＭＲＳｏｒｔｈｏｇｏｎａｌｉｔｙ)、干渉ランダム化(ｉｎｔｅｒｆｅｒｅｎｃｅ ｒａｎｄｏｍｉｚａｔｉｏｎ)ができるようにする。
【００９９】
前記仮想セルＩＤを導入する場合、マクロセル内に存在するそれぞれのサブセルをＰＣＩＤ及びＶＣＩＤに基づいて唯一に特定することができる。すなわち、ＰＣＩＤ及び送信地点に特定の(ＴＰ-ｓｐｅｃｉｆｉｃ)ＶＣＩＤに基づいてセル識別(Ｃｅｌｌ Ｉｄｅｎｔｉｔｙ)を行うことができる。
【０１００】
図１１は、本発明の他の実施形態によって、同一ＰＣＩＤを有する複数個(Ｎ個)のサブセルが各端末に独立的な復調(Ｄｅｍｏｄｕｌａｔｉｏｎ)をサポートするためにチャンネル測定のためのＤＭ-ＲＳを設定する方法を示す図面である。
【０１０１】
図１１を参照して説明すれば、本実施形態によって同一ＰＣＩＤを有するサブセル０乃至サブセルＮは各サブセルがサービスを提供している端末が独立的な復調を行うのが可能になるように各端末に送信するＤＭ-ＲＳスクランブリングシーケンスにＰＣＩＤの代りに互いに異なるＶＣＩＤ(仮想セルＩＤ)を適用する。
【０１０２】
図１１Ａに示されたように、サブセル(またはＴＰ)０乃至サブセル４はすべてセルＩＤがＸで同一であるが、互いに異なるＶＣＩＤを備える。これにより、各サブセルは各自の送信地点に特定の(ＴＰ-ｓｐｅｃｉｆｉｃ)ＶＣＩＤを適用して互いに異なるＤＭ-ＲＳスクランブリングシーケンスを用いる。
【０１０３】
図１１Ｂは、各サブセルが用いる無線リソースの構造(サブフレーム)を示す図面である。図１１Ｂに示されたように、サブセル０乃至サブセルＮは互いに同じ位置のリソースを介してＤＭ-ＲＳを送信するが、各サブセル別にＤＭ-ＲＳは互いに異なるＶＣＩＤが適用され、サブセルの間の用いるＤＭ-ＲＳスクランブリングシーケンスは互いに異なるということが分かる。
【０１０４】
これにより、隣接したサブセルが互いに同一ＰＣＩＤを持っても、各サブセルに特定された ＶＣＩＤに基づいて互いに異なるＤＭ-ＲＳスクランブリングシーケンスが生成されるので端末のＰＤＳＣＨチャンネル推定に互いに干渉を正確に反映することができる。すなわち、本発明の実施形態によってＶＣＩＤに基づいたＤＭ-ＲＳスクランブリングシーケンスを用いて同一 ＰＣＩＤを有するが互いに異なるサブセルに対する干渉ランダム化(ｉｎｔｅｒｆｅｒｅｎｃｅ ｒａｎｄｏｍｉｚａｔｉｏｎ)が可能である。
【０１０５】
また、アンテナポート７乃至１４を用いて各サブセル別にランク２以上の多重レイヤー(ｍｕｌｔｉ-ｌａｙｅｒ)をサポートすることもできる。
図１２は、本発明の他の実施形態によって同一ＰＣＩＤを有するＮ個のサブセルが各端末がチャンネルを正確に測定するようにゼロではない送信電力(Ｎｏｎ Ｚｅｒｏ Ｐｏｗｅｒ、ＮＺＰ) ＣＳＩ-ＲＳリソース設定(ｃｏｎｆｉｇｕｒａｔｉｏｎ)を示す図面である。
【０１０６】
図１２を参考して説明すれば、互いに同一ＰＣＩＤを有するサブセル０乃至サブセルＮはそれぞれの端末(ｓｅｒｖｅｄ ＵＥ)がチャンネルを正確に測定するように、それぞれのチャンネル測定用途のゼロではない送信電力(Ｎｏｎ Ｚｅｒｏ Ｐｏｗｅｒ、ＮＺＰ)ＣＳＩ-ＲＳリソースを互いに異なるリソース要素(Ｒｅｓｏｕｒｃｅ Ｅｌｅｍｅｎｔ、ＲＥ)の位置に送信地点特定(ＴＰ-ｓｐｅｃｉｆｉｃ)するように割り当てる。
【０１０７】
より具体的に、サブセル０はサブセル０に特定のＰＤＳＣＨ ＲＥｓ位置にＮＺＰ ＣＳＩ-ＲＳリソースを割り当てて、サブセル１はサブセル１に特定のＰＤＳＣＨ ＲＥｓ位置にＮＺＰ ＣＳＩ-ＲＳリソースを割り当てて、サブセルＮはサブセルＮに特定のＰＤＳＣＨ ＲＥｓ位置に ＮＺＰ ＣＳＩ-ＲＳリソースを割り当てる。この場合、本実施形態によるサブセルはＮＺＰ ＣＳＩ-ＲＳスクランブリングシーケンスにＰＣＩＤの代わりにＶＣＩＤを適用する。基本的に、端末の各ＴＰｓ(Ｔｒａｎｓｍｉｓｓｉｏｎ Ｐｏｉｎｔｓ:Ｓｕｂｃｅｌｌｓ、ＲＲＨｓ、Ｓｍａｌｌ ｃｅｌｌｓ)チャンネル測定のためのＮＺＰＣＳＩ-ＲＳリソースは互いに干渉回避のために互いに異なるＰＤＳＣＨ ＲＥｓ位置に割り当てる。しかし、マクロカバレッジ(ｍａｃｒｏ ｃｏｖｅｒａｇｅ)内の配置(ｄｅｐｌｏｙ)された同一ＰＣＩＤを有するサブセル(Ｓｍａｌｌ ｃｅｌｌｓ、ＲＲＨｓ、ＴＰｓ)の数が一つサブフレームに割り当て可能なＰＤＳＣＨリソースを超過して同一ＰＤＳＣＨＲＥｓ位置にＮＺＰ ＣＳＩ-ＲＳを設定(ｃｏｎｆｉｇｕｒａｔｉｏｎ)しても送信地点に特定(ＴＰ-ｓｐｅｃｉｆｉｃ)した互いに異なるＶＣＩＤに基づいて互いに区分することができるようになる。
【０１０８】
また、本実施形態によれば、同一ＰＣＩＤを有する互いに異なるサブセルのＮＺＰ ＣＳＩ-ＲＳ送信に、干渉回避目的で協力送信測定集合(ＣｏＭＰ ｍｅａｓｕｒｅｍｅｎｔｓｅｔ)に含まれるサブセルの間にミューティングされた(Ｍｕｔｅｄ)ＣＳＩ-ＲＳを設定することもできる。前記協力送信測定集合は端末がＣＳＩ測定及び報告(ｒｅｐｏｒｔ)の際に考慮するように設定された送信地点(Ｔｒａｎｓｍｉｓｓｉｏｎ Ｐｏｉｎｔｓ:Ｓｕｂｃｅｌｌｓ、ＲＲＨｓ、Ｓｍａｌｌ ｃｅｌｌｓ)の集合であり、現在規格によれば最大３個まで設定されることができるが、必ず３個に限定される必要はない。
【０１０９】
２-Ｔｘ ＣＳＩ-ＲＳポート(ｐｏｒｔ)基準で一つのサブフレームに最大２０個の互いに異なる位置のＣＳＩ-ＲＳリソースがあるが同一ＲＥｓ位置に設定(ｃｏｎｆｉｇｕｒａｔｉｏｎ)されたＣＳＩ-ＲＳに互いに異なるＶＣＩＤを適用すれば２０個以上のサブセルを区分することができる。すなわち、ＣＳＩ-ＲＳスクランブリングシーケンスにＶＣＩＤ(ｒａｎｇｅ:０〜５０３)を適用すれば、理論上の２-Ｔｘ ＣＳＩ-ＲＳポート基準で一つのサブフレームに、マクロカバレッジ(Ｍａｃｒｏ ｃｏｖｅｒａｇｅ)内の同一ＰＣＩＤを有するサブセル(ＲＲＨｓ、ＴＰｓ、Ｓｍａｌｌ ｃｅｌｌｓ)を１０,０８０(＝２０ｘ ５０４)個まで配置(ｄｅｐｌｏｙｍｅｎｔ)することが可能である。
【０１１０】
図１２に示されたように、ＤＭ-ＲＳ０(例えば、ＶＣＩＤ＝０)１２０１、ＤＭ-ＲＳ１(例えば、ＶＣＩＤ＝１)、及びＤＭ-ＲＳ Ｎ(ＶＣＩＤ＝Ｎ)１２０５は同一ＲＥ位置で割り当てられることができる。
【０１１１】
図１３は、同一ＰＣＩＤを有するサブセル(ＲＲＨｓ、ＴＰｓ、Ｓｍａｌｌ ｃｅｌｌｓ)の端末(Ｓｅｒｖｅｄ ＵＥｓ)の正確な干渉測定をサポートするためのＣＳＩ干渉測定(ＣＳＩ-ｉｎｔｅｒｆｅｒｅｎｃｅ ｍｅａｓｕｒｅｍｅｎｔ、ＣＳＩ-ＩＭ)リソース設定(ｃｏｎｆｉｇｕｒａｔｉｏｎ)方法を示す図面である。
【０１１２】
図１３は、協力送信測定集合(ＣｏＭＰ ｍｅａｓｕｒｅｍｅｎｔ ｓｅｔ)が３個である場合、考慮することができる干渉状況７個のケースに対するＣＳＩ-ＩＭリソース設定方法を示す。
【０１１３】
図１３を参照して説明すれば、基地局(ｅＮＢ)は同一ＰＣＩＤを有するサブセル(ＲＲＨｓ、ＴＰｓ、Ｓｍａｌｌ ｃｅｌｌｓ)の端末(Ｓｅｒｖｅｄ ＵＥｓ)が隣接サブセル(ｎｅｉｇｈｂｏｒ ｓｕｂｃｅｌｌ)、特に協力送信測定集合(ＣｏＭＰ ｍｅａｓｕｒｅｍｅｎｔ ｓｅｔ)に属したサブセルの多様な干渉状況を考慮した干渉測定が可能になるようにＣＳＩ-ＩＭリソース(干渉測定用ＺＰ／Ｍｕｔｅｄ ＣＳＩ-ＲＳ Ｒｅｓｏｕｒｃｅ、ＩＭＲ)をＰＤＳＣＨ領域の ＣＳＩ-ＲＳ割り当て可能なＲＥｓ位置に端末特定(ＵＥ-ｓｐｅｃｉｆｉｃ)するように設定する。図１３では協力送信測定集合にはサブセル０、サブセル１、サブセル２が含まれることを分かる。各サブセルはＶＣＩＤを適用したＤＭ-ＲＳ及びＣＳＩ-ＲＳを送信し、斜線に示されたようにＣＳＩ-ＩＭリソースが割り当てられる。ＣＳＩ-ＩＭリソースが割り当てられたということは当該位置にＺＰ／Ｍｕｔｅｄ ＣＳＩ-ＲＳが設定されたということを意味する。説明の便宜上、サブセル０(ＴＰ ０)のｓｅｒｖｅｄ ＵＥに対する端末に端末特定ＣＳＩ-ＩＭ設定(ＵＥ-ｓｐｅｃｉｆｉｃ ＣＳＩ-ＩＭ ｃｏｎｆｉｇｕｒａｔｉｏｎ)を仮定する。
【０１１４】
具体的に、サブセル０の１３１０ ＺＰ／Ｍｕｔｅｄ ＣＳＩ-ＲＳリソース設定(ｃｏｎｆｉｇｕｒａｔｉｏｎ)位置では端末がサブセル１、サブセル２、及び協力送信測定集合(ＣｏＭＰ ｍｅａｓｕｒｅｍｅｎｔ ｓｅｔ)が含まれない他のサブセル(ＴＰｓ、Ｓｍａｌｌ ｃｅｌｌｓ、ＲＲＨｓ)からの干渉を直接測定することができる。また、サブセル０の１３２０ＺＰ／Ｍｕｔｅｄ ＣＳＩ-ＲＳリソース設定(ｃｏｎｆｉｇｕｒａｔｉｏｎ)位置ではサブセル０と同じサブセル１のＲＥｓ位置にＣＳＩ-ＩＭが設定(ｃｏｎｆｉｇｕｒａｔｉｏｎ)されたから端末がサブセル１を除いたサブセル２及び協力送信測定集合(ＣｏＭＰ ｍｅａｓｕｒｅｍｅｎｔ ｓｅｔ)に含まれない他のサブセル(ＴＰｓ、Ｓｍａｌｌ ｃｅｌｌｓ、ＲＲＨｓ)からの干渉を直接測定することができる。
【０１１５】
このような方法で、端末はｅＮＢのＣＳＩ-ＩＭ設定を介して協力送信測定集合に属したサブセルの多様な干渉情報を測定することができる。
【０１１６】
図１３に示された実施形態で、一つの端末に設定可能なＣＳＩ-ＩＭ数は最大３個であり、１ＣＳＩ-ＩＭリソース割り当ては物理リソースブロック(Ｐｈｙｓｉｃａｌ Ｒｅｓｏｕｒｃｅ Ｂｌｏｃｋ、ＰＲＢ)当たり４ＲＥｓの粒度(ｇｒａｎｕｌａｒｉｔｙ)を持つ。ＣＳＩ-ＩＭ設定によって協力送信測定集合(ＣｏＭＰ ｍｅａｓｕｒｅｍｅｎｔ ｓｅｔ)に含まれたサブセルそれぞれのブランクオン／オフ(ｂｌａｎｋ Ｏｎ／Ｏｆｆ)によるＣＱＩ計算が可能である。
【０１１７】
図１４は、同一ＰＣＩＤを有するサブセルの間のサブセルの高速なスイッチングを行う方法を示す図面である。
【０１１８】
図１４に示されたサブセル０(１４１０)、サブセル１(１４２０)、サブセル２(１４３０)は本発明で提案する複数ＣＳＩフィードバック(Ｍｕｌｔｉｐｌｅ ＣＳＩｆｅｅｄｂａｃｋ)を活用して端末からサービングサブセル及び隣接サブセルに対する複数個のフィードバック情報を受信する。例えば、サブセル１(１４２０)は、自分のＳｅｒｖｅｄ端末(１４００)から、サブセル１(１４２０)に対するＣＳＩ情報、サブセル０(１４１０)に対するＣＳＩ情報、サブセル２(１４３０)に対するＣＳＩ情報をフィードバックまたは報告を受ける。この場合、端末は前記サブセル１(１４２０)に対するＣＳＩ情報、サブセル０(１４１０)に対するＣＳＩ情報、サブセル２(１４３０)に対するＣＳＩ情報を同時にサービングサブセルに報告することができる。または、本発明の他の実施形態によって、端末が複数個のＣＳＩ情報を同時に送信することができないか、或は同時に送信するのが不可能な場合、端末は各サブセルに対するＣＳＩ情報を代わりに(ａｌｔｅｒｎａｔｉｖｅｌｙ)サービングサブセルに報告することもできる。
【０１１９】
前記チャンネル状態情報(Ｃｈａｎｎｅｌ Ｓｔａｔｕｓ Ｉｎｆｏｒｍａｔｉｏｎ、ＣＳＩ)は、具体的にチャンネル品質インジケーター(Ｃｈａｎｎｅｌ Ｑｕａｌｉｔｙ Ｉｎｄｉｃａｔｏｒ、ＣＱＩ)、プリーコーディングマトリックスインジケーター(Ｐｒｅｃｏｄｉｎｇ Ｍａｔｒｉｘ Ｉｎｄｅｘ、ＰＭＩ)、ランクインジケーター(Ｒａｎｋ Ｉｎｄｉｃａｔｏｒ、ＲＩ)を含むことができる。この場合、端末は自分のサービングサブセル及び優れた(ｄｏｍｉｎａｎｔ)隣接サブセルに対するフィードバック情報をサービングサブセルに報告する。そして、前記各サブセルは端末から受信した前記複数個のフィードバック情報に基づいてサブセルの間のスイッチングするか否かを決定する。
【０１２０】
このように、サブセルは端末から受信した(少なくても)３個のフィードバック情報[ＣＳI(ＣＱＩ／ＰＭＩ／ＲＩ)]値を比べてサブセルのスイッチングを行う。ここで、サブセルの間の高速スイッチングのために３個のＣＳＩ(ＣＱＩ／ＰＭＩ／ＲＩ)値を比べる理由は、サブセルの間のスイッチングが一般的に３個のサブセルが重ねた領域でたくさん発生するからである。
【０１２１】
このように、本発明の実施形態では端末が報告したＣＳＩに基づいてサブセルの間のスイッチングするか否かを決定するから上位階層ＲＲＣ(Ｒａｄｉｏ Ｒｅｓｏｕｒｃｅ Ｃｏｎｔｒｏｌ)再設定(ｒｅｃｏｎｆｉｇｕｒａｔｉｏｎ)が必要ではない。したがって、サブセルの間の迅速なスイッチングが可能である。
【０１２２】
この時、端末のサブセルの間のスイッチングするか否かはＸ２インターフェースに基づいて(１４５０)各サブセルが決定することもでき、または各サブセルと接続された中央スケジューラ(Ｃｅｎｔｒａｌｉｚｅｄ Ｓｃｈｅｄｕｌｅｒ ｎｏｄｅ)１４４０が決定することもできる。
【０１２３】
一方、前記の実施形態では端末が３個のフィードバック情報をサービングサブセルに報告することで記述したが、必ずここに限定される必要はない。現在、規格によれば、基地局と端末の間の交渉によって３個の送信地点(Ｓｕｂｃｅｌｌｓ、ＲＲＨｓ、Ｓｍａｌｌｃｅｌｌｓ)を考慮する場合、最大４セットのＣＳＩ(ＣＱＩ／ＰＭＩ／ＲＩ)をフィードバックすることが可能である。
【０１２４】
また、本発明では４個以上のフィードバック情報(ＣＳＩ)を報告する方法を提示しようとするが、図５で言及したサブフレームサブセットを導入する場合、最大８個セットのＣＳＩをフィードバックすることができる。すなわち、サブセル(ＴＰｓ、ＲＲＨｓ、Ｓｍａｌｌ ｃｅｌｌｓ) の間の高速スイッチング決定に必要なＣＳＩの個数が規格的に最大８個まで可能であるからサブセルの間の密集した小型セル環境で、シームレスの端末移動性を保障することができる。端末が３個のＴＰｓ(Ｓｕｂｃｅｌｌｓ、ＲＲＨｓ、Ｓｍａｌｌ ｃｅｌｌｓ)を考慮した最大８セットのＣＳIを測定してフィードバックする方法に対しては図１５で具体的に説明する。
【０１２５】
図１５は、端末が３個の送信地点を考慮して最大８セットのＣＳＩを測定してフィードバックする方法に対して示す図面である。
【０１２６】
前記したように、本実施形態による端末は３個のＴＰｓ(Ｓｕｂｃｅｌｌｓ、ＲＲＨｓ、Ｓｍａｌｌ ｃｅｌｌｓ)を考慮する場合、最大８セットのＣＳＩを測定してフィードバックすることができる。図１５では具体的な例示を挙げて端末が８個セットのＣＳＩをフィードバックする方法に対して記述する。
【０１２７】
このために、本発明では複数ＣＳＩプロセス(Ｍｕｌｔｉｐｌｅ ＣＳＩＰｒｏｃｅｓｓ)と、図５で記述したサブフレームサブセットを用いる。すなわち、基地局(ｅＮＢ)はチャンネル測定のための３個の送信地点特定(ＴＰ-ｓｐｅｃｉｆｉｃ)したＮＺＰ ＣＳＩＲＳリソースに対する情報と、干渉測定のための８個の端末特定(ＵＥ-ｓｐｅｃｉｆｉｃ)したＣＳＩ-ＩＭリソースに対する情報を一つの端末にそれぞれ設定(ｃｏｎｆｉｇｕｒａｔｉｏｎ)することができる。端末は基地局からの前記設定に基づいて８個の互いに異なるＣＳI(ＣＱＩ含み)を測定し、自分のサービングサブセルにフィードバックする。
【０１２８】
より具体的に説明すれば、図１５のＣＳＩプロセス＃１(１５１０)乃至ＣＳＩプロセス＃４(１５４０)を参照すれば、端末のチャンネル測定のためのＮＺＰ ＣＳＩ-ＲＳが送信されるリソース位置が３個であることを分かる。この場合、ＣＳＩプロセス１のＮＺＰＣＳＩ-ＲＳ送信リソースの設定位置(１５５１)とＣＳＩプロセス４のＮＺＰ ＣＳＩ-ＲＳ送信リソースの設定位置(１５５２)が同一であることを留意しなければならない。ＣＳＩプロセス＃４のＮＺＰ ＣＳＩ-ＲＳ送信リソースの設定位置がＣＳＩプロセス＃２またはＣＳＩプロセス＃３のＮＺＰ ＣＳＩ-ＲＳ送信リソースの設定位置と同一であることもある。そして、ＣＳＩプロセス＃１(１５１０)乃至ＣＳＩプロセス＃４(１５４０)を参照すれば、端末の干渉測定のためのＣＳＩ-ＩＭリソースがすべて互いに異なるＲＥｓ位置に設定(ａ、ｂ、ｃ、ｄ、ｅ、ｆ、ｇ、ｈ)されたことを分かる。ここで、ＣＳＩプロセスはチャンネル測定のための３個の送信地点特定(ＴＰ-ｓｐｅｃｉｆｉｃ)したＮＺＰ(ｎｏｎ ｚｅｒｏ ｐｏｗｅｒ)ＣＳＩ-ＲＳリソース(Ｒｅｓｏｕｒｃｅ)と干渉(ｉｎｔｅｒｆｅｒｅｎｃｅ)測定のための８個の端末特定(ＵＥ-ｓｐｅｃｉｆｉｃ)したＣＳＩ-ＩＭリソース(Ｒｅｓｏｕｒｃｅ)の結合(ａｓｓｏｃｉａｔｉｏｎ)を意味することができる。
【０１２９】
前記サブフレームサブセット設定(Ｓｕｂｆｒａｍｅ ｓｕｂｓｅｔｓ ｃｏｎｆｉｇｕｒａｔｉｏｎ)を持つ複数ＣＳＩプロセス１５１０乃至１５４０を参照すれば、Ａ、Ｂ、Ｃ、Ｄ、Ｅ、Ｆ、Ｇ、Ｈの8種のセットのＣＳＩ測定場合の数が導出されることが分かる。
【０１３０】
本発明の実施形態によれば、前記示されたＣＳＩ測定方法に基づいて最大８個セットのＣＳI フィードバックすることができる。
【０１３１】
図１６は、本発明の他の実施形態によって各サブセルが端末のチャンネル推定のためのＤＭＲＳを送信する過程を示すフローチャートである。具体的に、図１６は図１１に示されたサブセル別にＤＭ-ＲＳ設定動作手順を示す。
【０１３２】
先ず、Ｓ１６１０段階で各サブセル(ここで、サブセルはＲＲＨ、ＴＰ、ｓｍａｌｌ ｃｅｌｌなどを称することができ、以下、同じ)はサブセル別にＤＭＲＳシーケンスにサブセルに特定(Ｓｕｂｃｅｌｌ ｓｐｅｃｉｆｉｃ)仮想セルＩＤ(ＶＣＩＤ)を適用してＳ１６２０段階へ進行する。
【０１３３】
そして、Ｓ１６２０段階で各サブセルはサブセル別にＤＭ-ＲＳシーケンスを生成してＳ１６３０段階へ進行する。
Ｓ１６３０段階で各サブセルは指定されたＲＥｓにサブセルの特定のＶＣＩＤが適用されたＤＭＲＳをマッピングして端末に送信する。
【０１３４】
図１７は、本発明の他の実施形態によって各サブセルが端末のチャンネル測定のためのＮＺＰ ＣＳＩ-ＲＳを送信する過程を示すフローチャートである。具体的に、図１７は図１２に示されたＳｕｂｃｅｌｌ別にＮＺＰ ＣＳＩ-ＲＳ設定動作手順を示す。
【０１３５】
先ず、Ｓ１７１０段階でｅＮＢは協力送信測定集合(ＣｏＭＰ ｍｅａｓｕｒｅｍｅｎｔｓｅｔ)を決定し、サブセルを介して端末に指示(ｉｎｄｉｃａｔｉｏｎ)する。この場合、前記協力送信測定集合は端末が報告(ｒｅｐｏｒｔ)したＲＳＲＰ(ｅ．ｇ．ＣＳＩ−ＲＳ基盤ＲＳＲＰ)または基地局が測定したＳＲＳ電力基準でサービングサブセルを含めて３個のサブセルで構成されることができる。
【０１３６】
そして、Ｓ１７２０段階で、ｅＮＢは協力送信測定集合に含まれたサブセルのチャンネル測定のための複数個のＮＺＰ ＣＳＩ-ＲＳリソースを設定する。
そして、Ｓ１７３０段階へ進行し、各サブセルは各サブセル別にＮＺＰ ＣＳＩ-ＲＳのシーケンスにＶＣＩＤを適用する。
そして、Ｓ１７４０段階で、各サブセルはサブセル別にＣＳＩ-ＲＳシーケンスを生成する。
そして、Ｓ１７５０段階で、各サブセル基地局(ｅＮＢ)によって設定されたＰＤＳＣＨＲＥｓにＶＣＩＤが適用されたＮＺＰ ＣＳＩ-ＲＳをマッピングして送信する。
【０１３７】
図１８は、本発明の他の実施形態によって、基地局(ｅＮＢ)が各サブセルを介して端末の干渉測定用途のＣＳＩ-ＩＭを送信する過程を示すフローチャートである。具体的に、図１８は図１３に示されたサブセル別にＣＳＩ-ＩＭ設定動作手順を示す。
【０１３８】
先ず、Ｓ１８１０段階で、ｅＮＢは協力送信測定集合を決定し、サブセルを介して各端
末に指示(ｉｎｄｉｃａｔｉｏｎ)する。この場合、前記協力送信測定集合は[端末が報告したＲＳＲＰ(ｅ．ｇ．ＣＳＩ-ＲＳ基盤ＲＳＲＰ)またはｅＮＢが測定したＳＲＳ電力(ｐｏｗｅｒ)基準でサービングサブセルを含めて３個のサブセルで構成されることができる。
そして、Ｓ１８２０段階へ進行して基地局(ｅＮＢ)は協力送信測定集合に含まれたサブセルを介して協力送信測定集合に含まれたサブセルのｏｎ／ｏｆｆを考慮した[ (ＣＳＩＩＭ(ＺＰ／Ｍｕｔｅｄ ＣＳＩ-ＲＳ)リソースを端末特定するように設定する。
そして、Ｓ１８３０段階へ進行し、協力送信測定集合(ＣｏＭＰ ｍｅａｓｕｒｅｍｅｎｔ ｓｅｔ)に属した各サブセルは基地局(ｅＮＢ)によって設定されたＰＤＳＣＨ ＲＥｓに端末の干渉測定用途のＣＳＩ-ＩＭをマッピングして送信する。
【０１３９】
図１９は、本発明の他の実施形態によって、サブセルが端末から送信されるフィードバック情報を用いて高速サブセルスイッチングを行う過程を示すフローチャートである。
【０１４０】
先ず、Ｓ１９１０段階で、端末は基地局(ｅＮＢ)が設定した３個のチャンネル測定用ＮＺＰ ＣＳＩ-ＲＳと３個の干渉測定用ＺＰ-ＣＳＩ-ＩＭの組合に基づいて、少なくとも３個のチャンネル状態情報(ＣＳI、またはフィードバック情報)をサービングサブセルに報告する。前記３個のチャンネル測定用ＮＺＰ ＣＳＩ-ＲＳ及び３個の干渉測定用ＺＰ-ＣＳＩ-ＩＭという記載のうちで３個ということは本発明の一実施形態に過ぎなく、必ず３個に限定されて解釈される必要はないという点に留意しなければならない。前記したように、本発明の実施形態による端末はＮＺＰ ＣＳＩ-ＲＳ及びＣＳＩ-ＩＭの組合で最大８個のＣＳＩ-ＲＳセット(ｓｅｔ)をフィードバックできる。
前記チャンネル状態情報は、ＣＱＩ、ＲＩ、ＰＭＩなどを含むことができる。
すると、Ｓ１９２０段階でサブセルはサブセルと接続された中央スケジューラロノ−ドが接続されたのか否かを判定する。
接続された場合、Ｓ１９３０段階で、中央スケジューラは協力送信測定集合に属したサブセルが端末からフィードバックされた複数個のチャンネル状態情報をサブセルと共有する。
【０１４１】
一方、接続されない場合、Ｓ１９４０段階で協力送信測定集合に属するサブセルはＸ２インターフェースなどを介して端末からフィードバックされた複数個のチャンネル状態情報を各接したサブセルと共有する。
そして、Ｓ１９５０段階で、サブセルまたは中央スケジューラは協力送信測定集合に含まれた３個のサブセルに対するチャンネル状態情報(ＣＳＩ)を比べる。この場合、サブセルまたは中央スケジューラは端末がフィードバックしたチャンネル状態情報に含まれたＣＱＩ値に基づいてチャンネル状態を比べることができる。
また、協力送信測定集合に含まれたサブセルが送信するディスカバリー信号(ｄｉｓｃｏｖｅｒｙ ｓｉｇｎａｌ)を基づいて端末がフィードバックした３個以上のＲＳＲＰがサブセルの間の高速サブセルスイッチング判定のために用いられることもできる。ディスカバリー信号は既存のＰＳＳ／ＳＳＳ、ＣＲＳ、ＰＲＳ(Ｐｏｓｉｔｉｏｎｉｎｇ Ｒｅｆｅｒｅｎｃｅ Ｓｉｇｎａｌ)、ＣＳＩ-ＲＳ、ｎｅｗ ｄｉｓｃｏｖｅｒｙ ｓｉｇｎａｌに基づいて生成されることができるし、ｄｏｒｍａｎｔ状態のサブセルでも送信されることができる。
そして、Ｓ１９６０段階へ進行してサブセルまたは中央スケジューラは最大の値を有するＣＳＩがサービングサブセルに対するＣＱＩであるか否かを判定する。
【０１４２】
最大値を有するＣＱＩがサービングサブセルに対するもの場合、Ｓ１９７０段階でサービングサブセルは変更されなく、当該端末に続いてサービスを提供する。
一方、最も大きい値を有するＣＱＩがサービングサブセルに対するものではない場合、Ｓ１９８０段階へ進行してサービングサブセルまたは中央スケジューラは最大値のＣＱＩを有するサブセルでサブセルの高速なスイッチング(ｆａｓｔ ｓｕｂｃｅｌｌ／ＴＰ／Ｓｍａｌｌ ｃｅｌｌ ｓｗｉｔｃｈｉｎｇ)を行う。
【０１４３】
図１９ではサービングサブセルを含めて端末に隣接したサブセルが３個である場合を仮定したが、必ず３個のサブセルに限定される必要はなく、Ｎ個のサブセルの場合にも同様の原理が適用されることができるという点に留意しなければならない。
【０１４４】
図２０は、本発明の実施形態によるサブセルの内部構造を示すブロック図である。
図２０に示されたように、サブセルは有無線インターフェース部２０１０、制御部２０２０を含むことができる。
有無線インターフェース部２０１０は端末と無線通信を行うための無線通信部と、中央スケジューラノードまたはコア網の任意のノードと有線通信を行うための有線通信部を含むことができる。
制御部２０２０はサブセルが本発明の実施形態によって、ＤＭＲＳ及びＣＳＩ-ＲＳを送信し、サブセルの高速なスイッチングを行うために各ブロック間の信号流れを制御する。このために、制御部２０２０はＤＭＲＳ送信制御部２０２１、ＣＳＩ-ＲＳ送信制御部２０２２、サブセルスイッチング制御部２０２３をさらに備えることができる。
【０１４５】
ＤＭＲＳ送信制御部２０２１は、本発明の一実施形態によって任意のマクロセルの中のサブセルが同様の物理セル識別子を用いる場合、ＤＭＲＳに対するスクランブリングシーケンスを生成し、前記生成されたＤＭＲＳスクランブリングシーケンスにサブセル別で互いに異なるスクランブリングＩＤ(ｎＳＣＩＤ)０又は１を適用する。本発明では前記のようにＤＭＲＳスクランブリングシーケンスにサブセル別で互いに異なるスクランブリングＩＤ(ｎＳＣＩＤ)を適用して隣接したサブセルが互いに同一ＰＣＩＤを有しても端末のチャンネル推定に互いに干渉を反映することができる。
【０１４６】
また、ＤＭＲＳ送信制御部２０２１は、本発明の他の実施形態によって任意のマクロセル内のサブセルがＶＣＩＤによって識別可能な場合、前記ＶＣＩＤを適用した復調基準信号を生成し、前記生成された復調基準信号を定められたリソースにマッピングして前記端末に送信するように制御することができる。
【０１４７】
ＣＳＩ-ＲＳ送信制御部２０２２は、本発明の一実施形態によって任意のマクロセル内のサブセルが同様の物理セル識別子を用いる場合、ＣＳＩ-ＲＳ送信に対する設定情報(ｃｏｎｆｉｇｕｒａｔｉｏｎ)を端末に送信する。そして、ＣＳＩ-ＲＳ送信制御部２０２２は自分がサービングサブセルの場合、第１タイミングでは予め設定された元位置(ＲＥ)にＣＳＩ-ＲＳを送信する。一方、２タイミングで、ＣＳＩ-ＲＳ送信制御部２０２２はサブフレームサブセット１での ＣＳＩ-ＲＳが割り当てられたリソース位置に対応されるサブフレームサブセット０でのリソース位置にランダムノイズまたは Ｍｕｔｅｄ(ＺＰ)ＣＳＩ-ＲＳを割り当てまたは適用する。
【０１４８】
また、ＣＳＩ-ＲＳ送信制御部２０２２は、本発明の他の実施形態によって任意のマクロセル内のサブセルがＶＣＩＤによって識別可能な場合、前記ＶＣＩＤを適用したチャンネル状態情報基準信号を生成し、前記生成されたチャンネル状態の情報基準信号を前記設定情報に基づいて前記端末に送信するように制御することができる。このために、ＣＳＩ-ＲＳ送信制御部２０２２は端末に対するサービングサブセルまたは隣接サブセルを含む協力送信測定集合を決定し、前記協力送信測定集合に含まれたサブセルのチャンネル測定のためのチャンネル測定情報基準信号リソースに対する設定情報を前記端末に送信することができる。
【０１４９】
サブセルのスイッチング制御部２０２３は、端末から受信されるサービングサブセルに対するフィードバック情報及び前記端末に対する干渉サブセルに対するフィードバック情報が伝達される。本発明の実施形態によれば、前記サブセルのスイッチチング制御部２０２３は複数個(好ましくは２個乃至８個、またはその以上)のフィードバック情報が伝達されることができる。すると、サブセルのスイッチング制御部２０２３は、前記フィードバック情報からサービングサブセル及び干渉サブセルに対するチャンネル品質情報(Ｃｈａｎｎｅｌ Ｑｕａｌｉｔｙ Ｉｎｆｏｒｍａｔｉｏｎ)を確認し、サービングサブセルのＣＱＩと干渉サブセルのＣＱＩを比べる。
【０１５０】
そして、サブのセルスイッチング制御部２０２３はサービングサブセルのＣＱＩが干渉サブセルのＣＱＩより小さな場合、サービングサブセルで干渉サブセルでサブセルの高速なスイッチングを行うように制御する。
【０１５１】
一方、前記したように、本発明の一実施形態によれば、前記サブセルはＰＣＩＤ及び送信地点に特定の(ＴＰ-ｓｐｅｃｉｆｉｃ)ＶＣＩＤに基づいてセル識別(Ｃｅｌｌ Ｉｄｅｎｔｉｔｙ)を行うことができる。
【０１５２】
図２１は、本発明の実施形態による端末の内部構造を示すブロック図である。
図２１に示されたように、本発明の端末は無線通信部２１１０、記憶部２１２０、制御部２１３０を含むことができる。
【０１５３】
無線通信部２１１０は端末の無線通信のための当該データの送受信機能を行う。無線通信部２１１０は送信される信号の周波数を上昇変換及び増幅するＲＦ送信機と、受信される信号を低雑音増幅して周波数を下降変換するＲＦ受信機などで構成されることができる。また、無線通信部２１１０は無線チャンネルを介してデータを受信して制御部２１３０で出力し、制御部２１３０から出力されたデータを無線チャンネルを介して送信することができる。
【０１５４】
記憶部２１２０は、端末の動作に必要なプログラム及びデータを記憶する役目を行う。
制御部２１３０と言う端末がＤＭＲＳ及びＣＳＩ-ＲＳを受信して処理し、サービングサブセル及び干渉サブセルに対するフィードバック情報を生成して報告する一連の過程を制御する。このために、制御部２１３０はＤＭＲＳ処理部２１３１及びフィードバック情報処理部２１３２をさらに備えることができる。
【０１５５】
ＤＭＲＳ処理部２１３１は、サブセルから送信されるＤＭＲＳを受信し、サブセルから獲得したスクランブリングＩｄｅｎｔｉｔｙ、ＩＤ(ｎＳＣＩＤ)を用いて前記ＤＭＲＳをデスクランブリングする。ここで前記ＤＭＲＳをデ−スクランブリングするということは当該サブセルのためのＤＭ-ＲＳを感知(ｄｅｔｅｃｔｉｏｎ)するということを意味することもできる。
【０１５６】
フィードバック情報処理部２１３２は、第１タイミング及び第２タイミングでＣＳＩＲＳを受信する。そして、フィードバック情報処理部２１３２は各タイミングでのＣＳＩ-ＲＳを用いて第１タイミングで測定したチャンネル状態に基づいて第１フィードバック情報を生成し、第２タイミングで測定したチャンネル状態に基づいて第２フィードバック情報を生成する。そして、フィードバック情報処理部２１３２は前記生成された第１及び第２フィードバック情報を定められたタイミングでサービングサブセルで送信する。
【０１５７】
上述した本発明によれば、マクロカバレッジ内に位置する少なくとも一つのサブセルがマクロ基地局と同様の物理セル識別子を用いる無線通信システムでＣＲＳ干渉がなく、サブセルの間高速のサブセルスイッチングが可能にする。これによって、本発明によればセルエッジ性能と送信效率を最大化することができるだけでなく、ハンドオーバー発生頻度を最小化してシームレスの(ｓｅａｍｌｅｓｓ) 端末の移動性を保障することができる。
【０１５８】
本明細書及び図面に開示された本発明の実施形態は本発明の記述内容を容易に説明して発明の理解を助けるために特定例を提示したものであるだけであり、本発明の範囲を限定しようとするのではない。ここに開示された実施形態以外にも本発明の技術的思想に基づいて他の変形例が実施可能であるということは本発明が属する技術分野で通常の知識を有する者に自明なものである。
【符号の説明】
【０１５９】
１１０  マクロ基地局
１１１  マクロカバレッジ
１２０、１３０、１４０、１５０、１６０  サブセル
２１０  ＤＭＲＳ
２２０  ＤＭＲＳ
３１０  ＲＥリソース
３２０  ＲＥリソース
４１０、４２０  端末
５１０  第１サブフレームサブセット
１０１０  サブセル
１１０２  サブセル
１４００  端末
２０１０  インターフェース部
２０２０  制御部
２０２１  ＤＭＲＳ送信制御部
２０２２  送信制御部
２０２３  サブセルスイッチング制御部
Ｓ２１１０  無線通信部
Ｓ２１２０  記憶部
Ｓ２１３０  制御部
Ｓ２１３１  ＤＭＲＳ処理部
Ｓ２１３２  フィードバック情報処理部
【図１】
0006389189.tif 000002
【図２】
0006389189.tif 000003
【図３】
0006389189.tif 000004
【図４】
0006389189.tif 000005
【図５】
0006389189.tif 000006
【図６】
0006389189.tif 000007
【図７Ａ】
0006389189.tif 000008
【図７Ｂ】
0006389189.tif 000009
【図８】
0006389189.tif 000010
【図９】
0006389189.tif 000011
【図１０】
0006389189.tif 000012
【図１１】
0006389189.tif 000013
【図１２】
0006389189.tif 000014
【図１３】
0006389189.tif 000015
【図１４】
0006389189.tif 000016
【図１５】
0006389189.tif 000017
【図１６】
0006389189.tif 000018
【図１７】
0006389189.tif 000019
【図１８】
0006389189.tif 000020
【図１９】
0006389189.tif 000021
【図２０】
0006389189.tif 000022
【図２１】
0006389189.tif 000023